(57)【要約】【課題】アルバムファイルがデジタルカメラから誤って消失してしまうことを防止する技術を提供する。【解決手段】デジタルカメラにおいて、転送元の記録媒体（メモリカード等）から転送先のファイル記憶装置（コンピュータのハードディスク等）へとアルバムファイルを移動することによって、アルバムファイルを転送する。アルバムファイルのファイル名は、識別用のシリアル番号を有している。この際、デジタルカメラの記録媒体内に格納されているアルバムファイルの最大シリアル番号を取得しデジタルカメラのＲＯＭ内に格納する（ステップＳＰ３２２）。デジタルカメラ１は、取得された最大シリアル番号に１を加えた番号を次回作成のアルバムファイルのシリアル番号として決定する。また、メニュー画面において、アルバムファイルを残したまま撮影ファイルを転送する転送指示を受け付ける。【選択図】        図２９
2004254176.tif 000002
【特許請求の範囲】
【請求項１】
コンピュータに、
アルバム登録指示がなされたデータファイルに基づいて作成され前記データファイルとは互いに異なるフォルダに格納されたアルバムファイルであって、識別用のシリアル番号を有するファイル名が付された状態でデジタルカメラの記録媒体内に格納されているアルバムファイルの最大シリアル番号を取得する手順と、
前記最大シリアル番号を格納する手順と、
転送元の前記記録媒体から転送先のファイル記憶装置へと前記アルバムファイルを移動することによって、前記アルバムファイルを転送する手順と、
前記最大シリアル番号を前記デジタルカメラに通知する手順と、
を実行させるためのプログラム。
【請求項２】
コンピュータに、
アルバム登録指示がなされたデータファイルに基づいて作成され前記データファイルとは互いに異なるフォルダに格納されたアルバムファイルであってデジタルカメラの記録媒体内に格納されているアルバムファイルを前記記録媒体に残したまま、前記記録媒体内に格納されているデータファイルを転送元の前記記録媒体から転送先のファイル記憶装置へと移動する、第１の転送指示を受け付ける手順と、
前記第１の転送指示に応答して、前記記録媒体内に格納されている前記アルバムファイルを前記記録媒体に残したまま、前記記録媒体内に格納されているデータファイルを前記ファイル記憶装置へと移動する手順と、
を実行させるためのプログラム。
【請求項３】
デジタルカメラであって、
アルバム登録指示がなされたデータファイルに基づいて作成され前記データファイルとは互いに異なるフォルダに格納されたアルバムファイルであって、識別用のシリアル番号を有するファイル名が付された状態でデジタルカメラの記録媒体内に格納されているアルバムファイルの最大シリアル番号を取得する手段と、前記最大シリアル番号を格納する手段と、
転送元の前記記録媒体から転送先のファイル記憶装置へと前記アルバムファイルを移動することによって、前記アルバムファイルを転送する手段と、
前記転送後に新たに作成されるアルバムファイルに対して前記最大シリアル番号よりも大きなシリアル番号を付与する手段と、
を備えることを特徴とするデジタルカメラ。
【請求項４】
デジタルカメラであって、
アルバム登録指示がなされたデータファイルに基づいて作成され前記データファイルとは互いに異なるフォルダに格納されたアルバムファイルであって前記デジタルカメラの記録媒体内に格納されているアルバムファイルを前記記録媒体に残したまま、前記記録媒体内に格納されているデータファイルを転送元の前記記録媒体から転送先のファイル記憶装置へと移動する、第１の転送指示を受け付ける手段と、
前記第１の転送指示に応答して、前記記録媒体内に格納されているアルバムファイルを前記記録媒体に残したまま、前記記録媒体内に格納されているデータファイルを前記ファイル記憶装置へと移動する手段と、
を備えることを特徴とするデジタルカメラ。
【請求項５】
デジタルカメラとファイル記憶装置との間でファイル転送を行うファイル転送システムであって、
アルバム登録指示がなされたデータファイルに基づいて作成され前記データファイルとは互いに異なるフォルダに格納されたアルバムファイルであって前記デジタルカメラの記録媒体内に格納されているアルバムファイルを前記記録媒体に残したまま、前記記録媒体内に格納されているデータファイルを転送元の前記記録媒体から転送先のファイル記憶装置へと移動する、第１の転送指示を受け付ける手段と、
前記第１の転送指示に応答して、前記記録媒体内に格納されているアルバムファイルを前記記録媒体に残したまま、前記記録媒体内に格納されているデータファイルを前記ファイル記憶装置へと移動する手段と、
を備えるファイル転送システム。
【発明の詳細な説明】
【０００１】
【発明の属する技術分野】
本発明は、デジタルカメラとファイル記憶装置との間のファイル転送技術に関する。
【０００２】
【従来の技術】
デジタルカメラにおいては、撮影画像はメモリカードなどの記録媒体に記録される。ただし、記録媒体に格納可能な撮影画像の枚数には上限があるため、通常は、適宜の枚数の撮影画像がその記録媒体に格納された後には、撮影画像のデータをメモリーカードからパーソナルコンピュータ（以下、パソコンとも称する）のハードディスクなどに移動させ、記録媒体の空き容量を確保することが行われる。
【０００３】
しかしながら、パソコンなどに移動された画像データはデジタルカメラに残存していないので、移動された画像は気に入ったものであったとしてもデジタルカメラでは閲覧できない。
【０００４】
このような問題を解決する技術として、お気に入りの画像をデジタルカメラの内蔵メモリに格納しておくもの（具体的には、カシオ計算機株式会社製のデジタルカメラＥＸ−Ｓ２／ＥＸ−Ｍ２）が存在する。このデジタルカメラにおいては、撮影画像のうちユーザが気に入った画像をコピーして登録用の画像（お気に入りの画像ないしアルバム画像とも称する）を作成し、撮影画像とは別に格納しておくことができる（下記の非特許文献１参照）。
【０００５】
これによれば、撮影画像をパソコンなどに移動させた後であってもお気に入りの画像はデジタルカメラの内蔵メモリ内に残存しているため、ユーザはお気に入りの画像をデジタルカメラを用いて閲覧することができる。
【０００６】
また、このようなアルバムファイルは、手動操作によって、デジタルカメラからコンピュータなどへと移動することも可能である。具体的には、コンピュータにデジタルカメラが接続された状態において、デジタルカメラの記録媒体は、コンピュータによって１つのストレージ（記憶装置）であるとして認識され、その記録媒体内の所定のフォルダ内に格納された撮影画像等を操作者が手動で指定して、コンピュータ内の別のフォルダに移動させることなどが行われる。
【０００７】
【発明が解決しようとする課題】
しかしながら、上記の従来技術においては、アルバム画像等が誤操作等によってデジタルカメラから削除されてしまうことがある。
【０００８】
具体的には、画像を見ただけではアルバム画像なのか撮影画像なのかを的確に判別ができない状況が存在する。特に、操作者がその画像の格納先フォルダによって（たとえば、その格納先フォルダがアルバムフォルダであるか否かなどによって）、その画像がアルバム画像であるか撮影画像であるかを判別できることを認識していない場合は、そのような状況に陥ることがある。このような状況において、本来デジタルカメラに残しておきたいアルバム画像を手動操作により誤って移動してしまうと、そのアルバム画像がデジタルカメラから消失してしまうことになる。
【０００９】
また、上記のデジタルカメラにおいては、各アルバム画像に対して、識別用のシリアル番号を含むファイル名が付与されている。そして、たとえば全アルバム画像がデジタルカメラからの移動等によって一旦削除された場合には、アルバム画像のシリアル番号がリセットされる。そのため、新規のアルバム画像がそのデジタルカメラにおいて再度作成された場合には、その新規アルバム画像に対して旧来のアルバム画像と同一のシリアル番号のファイル名が付与されることになる。そのような場合に、新規のアルバム画像（たとえばシリアル番号が１のアルバム画像）を旧来のアルバム画像の移動先のフォルダにさらに移動した場合には、旧来のアルバム画像が新規のアルバム画像によって上書きされてしまうことになる。すなわち、この上書き動作によって旧来のアルバム画像が消失してしまうのである。
【００１０】
アルバム画像の転送に関してはこのような問題が存在する。
【００１１】
そこで、本発明は前記問題点に鑑み、アルバムファイルがデジタルカメラから誤って消失してしまうことを防止する技術を提供することを目的とする。
【００１２】
【課題を解決するための手段】
上記目的を達成するため、請求項１の発明は、コンピュータに、アルバム登録指示がなされたデータファイルに基づいて作成され前記データファイルとは互いに異なるフォルダに格納されたアルバムファイルであって、識別用のシリアル番号を有するファイル名が付された状態でデジタルカメラの記録媒体内に格納されているアルバムファイルの最大シリアル番号を取得する手順と、前記最大シリアル番号を格納する手順と、転送元の前記記録媒体から転送先のファイル記憶装置へと前記アルバムファイルを移動することによって、前記アルバムファイルを転送する手順と、前記最大シリアル番号を前記デジタルカメラに通知する手順と、を実行させるためのプログラムであることを特徴とする。
【００１３】
請求項２の発明は、コンピュータに、アルバム登録指示がなされたデータファイルに基づいて作成され前記データファイルとは互いに異なるフォルダに格納されたアルバムファイルであってデジタルカメラの記録媒体内に格納されているアルバムファイルを前記記録媒体に残したまま、前記記録媒体内に格納されているデータファイルを転送元の前記記録媒体から転送先のファイル記憶装置へと移動する、第１の転送指示を受け付ける手順と、前記第１の転送指示に応答して、前記記録媒体内に格納されている前記アルバムファイルを前記記録媒体に残したまま、前記記録媒体内に格納されているデータファイルを前記ファイル記憶装置へと移動する手順と、を実行させるためのプログラムであることを特徴とする。
【００１４】
請求項３の発明は、デジタルカメラであって、アルバム登録指示がなされたデータファイルに基づいて作成され前記データファイルとは互いに異なるフォルダに格納されたアルバムファイルであって、識別用のシリアル番号を有するファイル名が付された状態でデジタルカメラの記録媒体内に格納されているアルバムファイルの最大シリアル番号を取得する手段と、前記最大シリアル番号を格納する手段と、転送元の前記記録媒体から転送先のファイル記憶装置へと前記アルバムファイルを移動することによって、前記アルバムファイルを転送する手段と、前記転送後に新たに作成されるアルバムファイルに対して前記最大シリアル番号よりも大きなシリアル番号を付与する手段と、を備えることを特徴とする。
【００１５】
請求項４の発明は、デジタルカメラであって、アルバム登録指示がなされたデータファイルに基づいて作成され前記データファイルとは互いに異なるフォルダに格納されたアルバムファイルであって前記デジタルカメラの記録媒体内に格納されているアルバムファイルを前記記録媒体に残したまま、前記記録媒体内に格納されているデータファイルを転送元の前記記録媒体から転送先のファイル記憶装置へと移動する、第１の転送指示を受け付ける手段と、前記第１の転送指示に応答して、前記記録媒体内に格納されているアルバムファイルを前記記録媒体に残したまま、前記記録媒体内に格納されているデータファイルを前記ファイル記憶装置へと移動する手段と、を備えることを特徴とする。
【００１６】
請求項５の発明は、デジタルカメラとファイル記憶装置との間でファイル転送を行うファイル転送システムであって、アルバム登録指示がなされたデータファイルに基づいて作成され前記データファイルとは互いに異なるフォルダに格納されたアルバムファイルであって前記デジタルカメラの記録媒体内に格納されているアルバムファイルを前記記録媒体に残したまま、前記記録媒体内に格納されているデータファイルを転送元の前記記録媒体から転送先のファイル記憶装置へと移動する、第１の転送指示を受け付ける手段と、前記第１の転送指示に応答して、前記記録媒体内に格納されているアルバムファイルを前記記録媒体に残したまま、前記記録媒体内に格納されているデータファイルを前記ファイル記憶装置へと移動する手段と、を備えることを特徴とする。
【００１７】
【発明の実施の形態】
以下、本発明の実施形態を図面に基づいて説明する。
【００１８】
＜構成概要＞
図１および図２は、本発明の実施形態に係るデジタルカメラ１の外観構成を示す図である。図１は正面側からみた概略斜視図であり、図２は背面側からみた概略斜視図である。
【００１９】
図１および図２に示すように、デジタルカメラ１は、薄型の略直方体形状を有している。
【００２０】
図１に示すように、デジタルカメラ１は、その正面側に撮影レンズ２と光学ファインダー４とフラッシュ６とを備えており、その上面側に電源ボタン３とシャッタボタン（レリーズボタン）９とマイク１２とを備えている。また、図２に示すように、デジタルカメラ１は、その背面側に液晶表示部（以下、ＬＣＤという。）５とボタン群７，８とクイックレビューボタン（以下、ＱＶボタンとも称する）１１とスピーカ１３とを備えている。ボタン群７は十字カーソルボタン（ないしカーソルキー）７ａ〜７ｄを有しており、ボタン群８は実行ボタン８ａとメニューボタン８ｂとフラッシュモードボタン８ｃと液晶モニターボタン８ｄとを有している。さらに、図１および図２に示すように、デジタルカメラ１は、その側方の面に蓋１４とＤＣ入力端子１５とＵＳＢ端子１６とＡＶ出力端子１７とを備えている。
【００２１】
後述するように、デジタルカメラ１は、撮影レンズ２からの被写体像をＣＣＤ（撮像素子）２０（図３）によって光電変換することなどによって、被写体に関する画像データを取得する。
【００２２】
また、電源ボタン３は、電源のオン操作およびオフ操作を受け付けるために用いられる。具体的には、電源ボタン３を押下するごとにオン状態への移行とオフ状態への移行とが交互に繰り返される。
【００２３】
シャッタボタン９はユーザ（操作者）による半押し状態（以下、状態Ｓ１とも称する）と全押し状態（以下、状態Ｓ２とも称する）とを区別して検出可能な２段階押し込みスイッチとなっており、半押し状態Ｓ１のときに自動合焦制御を開始し、全押し状態Ｓ２のときに記録用画像を撮影するための本撮影動作を開始する。
【００２４】
ＬＣＤ５は、本撮影動作前のプレビュー表示（ライブビュー表示とも称する）及び記録画像の再生表示等を行う。このＬＣＤ５は、所定数（ここでは３２０×２４０）の表示画素を有しており、カラー画像を表示することができる。
【００２５】
操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００２６】
また、ＱＶボタン１１は、デジタルカメラ１における複数の動作モード、具体的には、撮影モードと再生モードとアルバム再生モード（後述）と切り替える機能を有している。後述するように、原則としてＱＶボタン１１が押下されるごとに、これら３つのモードが順次に且つ循環的に（サイクリックに）選択される。なお、後述するように、動作モードの変更に伴ってＬＣＤ５における表示画像も切り替わることから、ＱＶボタン１１は、ＬＣＤ５における表示画像を切り替える切替ボタンであるとも表現できる。
【００２７】
メニューボタン８ｂは、ＬＣＤ５へのメニューの表示および非表示を切り替える機能を有している。たとえば、各動作モードの初期画面においてメニューボタン８ｂが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行ボタン８ａを押下することによって、その選択肢に対応する設定動作等が実行される。このような操作によって、各種撮影パラメータの設定、アルバム登録（後述）等を行うことが可能である。
【００２８】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００２９】
液晶モニターボタン８ｄは、液晶モニターの表示・非表示を切り替えるためのボタンである。液晶モニターボタン８ｄが押下されるごとに、液晶モニターに画像等が表示された状態（表示状態）と表示されない状態（非表示状態）とが交互に切り替わる。非表示状態にしておけば消費電力を低減できる。
【００３０】
また、マイク１２は、動画撮影、ボイスメモ、ボイスレコーディング、アフターレコーディング（アフレコ）時において、音声データを取得する（録音する）ために用いられる。
【００３１】
スピーカ１３は、音声を出力する機能を有しており、音声データあるいは音声付き画像データ（静止画、動画）を再生するときなどに用いられる。
【００３２】
さらに、蓋１４は、電池室およびメモリカード装着部を覆う部分に設けられている。言い換えれば、蓋１４の内部側には、電源電池ＢＴを収容する電池室と着脱自在な記録媒体（可搬性記録媒体）であるメモリカードを装着するメモリカード装着部とが設けられている。電源電池ＢＴおよびメモリカード９０は、それぞれ、電池室およびメモリカード装着部に対して着脱自在に装着される。本撮影によって得られる画像データおよび後述するアルバム画像データ等は、この挿入装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００３３】
ＵＳＢ端子１６は、パーソナルコンピュータ（パソコンとも略称する）等とのデータ通信を行うための端子である。ＵＳＢ端子１６にＵＳＢ規格のケーブル等を接続することによって外部機器（パソコン等）とのデータ通信を行うことができる。
【００３４】
ＡＶ出力端子１７は、テレビなどの外部映像音響機器（ＡＶ機器）に接続するための端子である。所定のＡＶコードをこのＡＶ出力端子１７と外部映像音響機器側の入力端子とを接続することによって、その外部映像音響機器に画像および／または音声を出力することができる。
【００３５】
次に、図３を参照しつつ、デジタルカメラ１の内部構成について説明する。図３は、デジタルカメラ１の内部機能を示すブロック図である。
【００３６】
ＣＣＤ（撮像素子）２０は被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００３７】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３８】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。
【００３９】
また、マイク１２から得られる音声信号は、アナログ信号処理回路２１に与えられた後、Ａ／Ｄ変換器２２に転送される。Ａ／Ｄ変換器２２は、転送された音声信号をアナログ信号からデジタル信号に変換するものである。変換後のデジタル信号は、音声データとして一時的にバッファメモリ５４に格納される。そして、バッファメモリ５４に保存された音声データに対して、音声処理部５３による各種の処理が施される。
【００４０】
操作部３０は、上述した電源ボタン３、ボタン群７，８、シャッタボタン９、ＱＶボタン１１等を含む操作部であり、ユーザがデジタルカメラ１の設定状態を変更操作する際や撮影操作を行う際等に用いられる。
【００４１】
電源４０は、デジタルカメラ１に対する電力供給源である。デジタルカメラ１は、リチウムイオン電池などの二次電池を電源電池ＢＴとして用いて駆動される。
【００４２】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する制御手段として機能する。全体制御部５０は、たとえば、ライブビュー表示処理、およびメモリカードへの記録処理などをも制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００４３】
全体制御部５０は、画像処理部５１、圧縮／伸張部５２、音声処理部５３を有している。これらの各処理部５１，５２，５３は、マイクロコンピュータが所定のプログラムを実行することにより実現される機能部である。
【００４４】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式などが採用される。音声処理部５３は、音声データに対する各種のデジタル処理を施す処理部である。
【００４５】
また、カードインタフェース（カードＩ／Ｆ）６０は、デジタルカメラ１側面の挿入装着部に対して装着されるメモリカード９０への画像データの書込み及び読出しを行うためのインタフェースである。
【００４６】
メモリカード９０に対する画像データの読み書き時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００４７】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新することなどが可能である。
【００４８】
また、ＵＳＢ端子１６などを介した外部機器（外部コンピュータなど）との通信によっても、画像あるいは音声などの各種のデータ、および制御プログラムなどを送受信することが可能である。たとえば、外部コンピュータの読取装置（光学ドライブ装置等）にセットされた記録媒体（ＣＤ−Ｒ／ＲＷ、ＣＤ−ＲＯＭなど）に記録された各種のデータおよびプログラム等を、ＵＳＢ端子１６を介して取得することが可能である。
【００４９】
＜撮影画像およびアルバム画像＞
つぎに、撮影画像およびアルバム画像について説明する。
【００５０】
図４はメモリカード９０内のフォルダ構成を概念的に示す図である。図４に示すように、撮影画像のファイルは、ＤＣＦ（Ｄｅｓｉｇｎ  ｒｕｌｅ  ｆｏｒ  Ｃａｍｅｒａ  Ｆｉｌｅ  ｓｙｓｔｅｍ）の形式にしたがって作成されて記録される。ここでは、各撮影画像ファイルは、フォルダ「１００ＭＬＴ０９」の中に格納される。フォルダ「１００ＭＬＴ０９」は、フォルダ「ＤＣＩＭ」の下に作成されるフォルダであり、フォルダ「ＤＣＩＭ」は、ルートフォルダの下に作成されるフォルダである。以下、このフォルダ「１００ＭＬＴ０９」を「撮影画像フォルダ」（ないし「記録フォルダ」）とも称する。
【００５１】
各撮影画像ファイルの名称は、「Ｐｉｃｔ０００５．ｊｐｇ」などのように、先頭の８文字（Ｐｉｃｔ０００５）とそれに続くピリオド（．）と３文字の拡張子（ｊｐｇ）とで構成されている。先頭の８文字のうち、前半の４つのアルファベットは、種別（撮影画像等の撮影ファイル（後述）であること）を表しており、後半の４つの数字は撮影画像（撮影ファイル）の作成順に連続的に付与されるシリアル番号である。
【００５２】
したがって、デジタルカメラ１による撮影動作を繰り返すことによって、メモリカード９０内には、「Ｐｉｃｔ０００１．ｊｐｇ」，「Ｐｉｃｔ０００２ｊｐｇ」，「Ｐｉｃｔ０００３．ｊｐｇ」，「Ｐｉｃｔ０００４．ｊｐｇ」，「Ｐｉｃｔ０００５．ｊｐｇ」，「Ｐｉｃｔ０００６ｊｐｇ」，．．．という名称のファイルがこの順序で作成されて格納される。
【００５３】
さて、このデジタルカメラ１においては、撮影画像のうち操作者が気に入った画像を、撮影画像と区別して登録しておくことができる。この明細書においては、このような機能を「アルバム登録」機能と称するものとし、また、アルバム登録によって、撮影画像ファイル等の元のファイルに対応して新規に作成される画像を「アルバム画像」と称するものとする。また、各アルバム画像は、撮影画像とは異なるフォルダ（具体的には、フォルダ「ＡＬＢＵＭ」）に、撮影画像とは別個の画像として格納される。アルバム画像の格納用のフォルダ（以下、「アルバムフォルダ」とも称する）「ＡＬＢＵＭ」は、ルートフォルダの下に作成されるフォルダである。
【００５４】
また、各アルバム画像のファイルの名称は、撮影画像と同様のルールに基づいて付与される。ただし、ファイル名の先頭の８文字のうち、前半の４つのアルファベット（Ａｌｂｍ）は、種別（アルバム登録されたものであること）を表しており、後半の４つの数字はアルバム画像等の作成順に連続的に付与されるシリアル番号である。
【００５５】
図４に示すように、たとえば、操作者が「Ｐｉｃｔ０００６ｊｐｇ」という名称のファイルをお気に入りの画像としてアルバム登録すると、「Ａｌｂｍ０００３．ｊｐｇ」という名称のアルバム画像のファイル（アルバム画像ファイル）が生成される。ここでは、３番目のアルバム画像が生成される場合を想定しているので、生成されたアルバム画像ファイルのシリアル番号が「０００３」になっている。
【００５６】
また、アルバムフォルダは、アルバム画像ファイル等の他に、アルバム登録された複数のファイルに関する基本情報を記録したファイル（以下、「アルバム情報ファイル」とも称する）を有している。このアルバム情報ファイルは、図４において「Ａｌｂｕｍ．ｉｎｆ」という名称のファイルとして示されており、図６のような構成を有している。なお、このアルバム情報ファイルの内容については後述する。
【００５７】
このようなアルバム登録機能によれば、操作者は撮影画像のうち気に入った画像をアルバム画像として登録しておくことができる。
【００５８】
アルバム画像は撮影画像とは区別して扱われるので、撮影画像をパソコンなどの外部機器に移動させてメモリカード９０内からは消去した後であっても、アルバム登録された画像はメモリカード９０内に残存することになる。そのため、操作者は、撮影画像はメモリカード９０から消去された後であっても、アルバム登録されている気に入った画像を、メモリカード９０内から読み出してＬＣＤ５に表示させることなどができる。すなわち、気軽に閲覧することができる。特に、メモリカード９０の容量は内蔵メモリに比べて大きいため、内蔵メモリにアルバム画像を格納しておく場合に比べて、さらに多くの画像を格納しておくことが可能である。
【００５９】
また、メモリカード９０内に残存しているアルバム画像を用いて、印刷を行うこともできる。これによれば、気に入った画像を気軽に印刷することができる。特に、ダイレクトプリント対応のプリンタにメモリカード９０を直接挿入してダイレクトプリントを行えば、気に入った画像を非常に簡易に印刷することが可能になる。
【００６０】
図５は各ファイルの構成を概念的に示す図である。図５では、撮影画像ファイルの構成を示しているが、アルバム画像ファイルも同様の構成を有している。
【００６１】
図５に示すように、各撮影画像ファイルは、所定形式（ここではＥｘｉｆ形式）のファイルとして作成される。具体的には、各撮影画像のファイルは、タグ情報ＴＧと、ＪＰＥＧ形式で圧縮された高解像度の画像データ（ここでは、１６００×１２００画素の画像信号）ＤＰと、サムネイル表示用の画像データ（ここでは、８０×６０画素の画像信号）ＤＭとを有している。このうち、タグ情報ＴＧには、「ファイル名」、「撮影日時」、「撮影に使用されたカメラのシリアルナンバー」、「関連する音声ファイル」、および「アルバム登録の有無」などの情報が含まれている。
【００６２】
また、各アルバム画像ファイルも、同様の形式（ここではＥｘｉｆ形式）のファイルとして作成される。各アルバム画像のファイルは、同様に、タグ情報ＴＧと、ＪＰＥＧ形式で圧縮された高解像度の画像データＤＰと、サムネイル表示用の画像データＤＭとを有している。ただし、データ量を低減するため、高解像度の画像データＤＰとしては、撮影画像の解像度よりも低い解像度の画像信号に変換されたデータを格納しておくものとする。具体的には、このアルバム画像の画像データＤＰは、圧縮された状態でメモリカード９０に格納されている１６００×１２００画素のサイズの撮影画像の画像データＤＰを圧縮／伸張部５２により一旦伸張し、画像処理部５１などによる解像度変換処理によって６４０×４８０画素のサイズに変換した後、さらに圧縮／伸張部５２によりＪＰＥＧ形式で再圧縮することによって生成される。また、上記において例示した撮影画像ファイルのタグ情報ＴＧのうち、「アルバム登録の有無」は不要であるが、「撮影日時」、「撮影に使用されたカメラのシリアルナンバー」、および「関連する音声ファイル」などの情報はそのままアルバム画像ファイルのタグ情報ＴＧとして引き継がれる。
【００６３】
また、各ファイルには、その属性ＡＴが定められている。具体的には、「読み取り専用属性（Ｒ）」、「アーカイブ属性（Ａ）」、「システムファイル属性（Ｓ）」、および「隠しファイル属性（Ｈ）」の４つの属性のいずれかが各ファイルに対して決定される。撮影画像に対しては、通常、「アーカイブ属性（Ａ）」および「読み取り専用属性（Ｒ）」のいずれかが付与される。「アーカイブ属性」が与えられたファイルに対しては、読出動作および書込動作の両方が許可されるが、「読み取り専用属性」が与えられたファイルに対しては、読出動作のみが許可され、書込動作が禁止される。
【００６４】
撮影画像ファイルには、撮影時点において「アーカイブ属性（Ａ）」が付与される。一方、アルバム画像ファイルには、登録時点において「読み取り専用属性（Ｒ）」が付与される。このように、アルバム画像ファイルに対しては「読み取り専用属性（Ｒ）」が初期的に付与されるため、気に入った画像として登録された大事なアルバム画像を誤操作で消去してしまうことを回避することができる。
【００６５】
なお、このデジタルカメラ１では静止画像の撮影だけでなく、動画の撮影および音声の録音等を行うことも可能である。この明細書では、このような撮影動作等によって得られるデータファイルを「撮影ファイル（ないし記録ファイル）」と総称するものとする。撮影ファイルは、画像データおよび／または音声データを含むファイルであるとも表現される。
【００６６】
また、アルバム登録の対象は静止画像に限定されず、動画像、音声などの撮影ファイルもまたアルバム登録の対象となる。この明細書では、撮影ファイルに対応して新規に作成されてアルバム登録されたファイルを「アルバム登録ファイル（ないしアルバム登録オブジェクト）」あるいは単に「アルバムファイル」と称するものとする。アルバムファイルは、全体制御部５０の制御下において、登録元の撮影ファイル（データファイル）に基づいて作成され、登録元の撮影ファイルとは互いに異なるフォルダに格納される。
【００６７】
以下では、画像（特に静止画像）を中心にそのアルバム登録動作等について説明する。
【００６８】
＜デジタルカメラにおける状態遷移の概略＞
図７は、デジタルカメラ１における状態遷移図であり、ＬＣＤ５における表示状態を中心に示す図である。図７の角丸四角の中には、ＬＣＤ５における表示画面が示されている。アルバム登録動作の詳細について説明する前に、図７を参照しながらデジタルカメラ１における状態遷移の概要について説明する。
【００６９】
まず、電源ボタン３の押下に応答して電源がオン状態にされると、デジタルカメラ１は状態ＳＴ１０に移行する。状態ＳＴ１０においては、デジタルカメラ１は「撮影モード」に設定され、撮影のためのプレビュー画像であるライブビュー画像がＬＣＤ５に表示される。「撮影モード」は画像（動画、静止画）あるいは音声を、撮影あるいは録音するモードである。
【００７０】
また、デジタルカメラ１は、上述したように、「撮影モード」の他に、「再生モード」および「アルバム再生モード」を有している。「再生モード」は撮影画像（および録音音声等）のファイルを再生するモードであり、「アルバム再生モード」はアルバムファイルを再生するモードである。
【００７１】
これらのモードの切替には、ＱＶボタン１１が用いられる。原則として、ＱＶボタン１１が押下されるごとに、デジタルカメラ１は３つのモードに対して順次に且つ循環的に（サイクリックに）移行する。ただし、例外的に、撮影ファイルがメモリカード９０内に存在しないときには「再生モード」には移行せず、アルバムファイルがメモリカード９０内に存在しないときには「アルバム再生モード」には移行しない。
【００７２】
以下では、このモード切替についてさらに詳細に説明する。
【００７３】
状態ＳＴ１０においてＱＶボタン１１が一度押下されると、メモリカード９０内に撮影ファイルが保存（格納）されているか否かが判定される（状態ＳＴ４１）。
【００７４】
そして、メモリカード９０内に撮影ファイルが１つでも記録されていれば状態ＳＴ２０に移行する。状態ＳＴ２０は、デジタルカメラ１が「再生モード」に設定され、ＬＣＤ５に撮影画像等の再生画像が表示されている状態である。状態ＳＴ２０に移行すると、直近に撮影された撮影画像等に関する再生画像がＬＣＤ５に最初に表示される。また、左右方向のキー７ｃまたは７ｄを押下するごとに、ＬＣＤ５での表示対象ファイルがその撮影順序での前方向あるいは後方向に順次に変更される。
【００７５】
一方、メモリカード９０内に撮影ファイルが１つも記録されていない場合には状態ＳＴ４２に移行する。
【００７６】
また、状態ＳＴ２０においてＱＶボタン１１がもう一度押下されたときにも、状態ＳＴ４２に移行する。
【００７７】
状態ＳＴ４２においては、メモリカード９０内にアルバムファイルが格納（保存）されているか否かが判定される。
【００７８】
そして、メモリカード９０内にアルバムファイルが１つでも記録されていれば状態ＳＴ３０に移行する。状態ＳＴ３０は、デジタルカメラ１が「アルバム再生モード」に設定され、ＬＣＤ５にアルバム画像が表示されている状態である。状態ＳＴ３０に移行すると、最初に、直近に登録されたアルバムファイルに関するアルバム画像がＬＣＤ５に表示される。また、左右方向のキー７ｃまたは７ｄを押下するごとに、ＬＣＤ５での表示対象ファイルがその登録順序での前方向あるいは後方向に順次に変更される。
【００７９】
一方、メモリカード９０内にアルバムファイルが１つも記録されていない場合には状態ＳＴ４３に移行し、メモリカード９０内に撮影ファイルが１つも記録されていないか否かが判定される。そして、メモリカード９０内に撮影ファイルもアルバムファイルも全く記録されていないと判定される場合には状態ＳＴ４４に移行し、「メモリカードに画像がありません」という文字を表示して状態ＳＴ１０に戻る。メモリカード９０内に撮影ファイルは記録されていると判定される場合には、状態ＳＴ４１に移行することなくそのまま状態ＳＴ１０に復帰する。
【００８０】
また、状態ＳＴ３０においてＱＶボタン１１がもう一度押下されたときにも、状態ＳＴ１０に再び移行する。
【００８１】
以上の動作によれば、撮影ファイルおよびアルバムファイルの双方がともにメモリカード９０内に記録されているときには、ＱＶボタン１１が押下されるごとに、これら３つのモード（「撮影モード」、「再生モード」、「アルバム再生モード」）が順次に且つ循環的に（サイクリックに）選択される。そして、ＱＶボタン１１の押下に応答して、撮影モードにおけるライブビュー画像と、再生モードにおけるデータファイルに関する再生画像と、アルバム再生モードにおけるアルバムファイルに関するアルバム画像との間で表示画像が変更される。したがって、ボタンの押下のみでアルバム画像等を表示できるので、アルバム画像を容易に閲覧することが可能である。
【００８２】
また、メモリカード９０内に撮影ファイルが記録されているもののアルバムファイルが記録されていないときには、ＱＶボタン１１の押下に応答して、「撮影モード」と「再生モード」とが順次に且つ循環的に選択される。言い換えれば、メモリカード９０がアルバムファイルを有しているときにのみ、ＱＶボタン１１の押下に応答してアルバム画像が表示する状態に変更される。このように、アルバムファイルがメモリカード９０内に存在しないときには、アルバムファイルを表示する画面に切り替わらない。したがって、無用な切り替えをなくすことができる。
【００８３】
さらに、メモリカード９０内にアルバムファイルが記録されているものの撮影ファイルが記録されていないときには、ＱＶボタン１１の押下に応答して、「撮影モード」と「アルバム再生モード」とが順次に且つ循環的に選択される。言い換えれば、メモリカード９０が撮影ファイルを有していないときには、ＱＶボタン１１の押下に応答して、ライブビュー画像とアルバム画像との間でのみ、表示画像が変更される。すなわち、撮影ファイルがメモリカード９０内に存在しないときには、撮影ファイルを表示する画面には切り替わらない。したがって、無用な切り替えをなくすことができる。
【００８４】
また、メモリカード９０内にアルバムファイルも撮影ファイルも記録されていないときには、「撮影モード」のみしか選択できない。このとき、ＱＶボタン１１の押下に応答して、「メモリカードに画像がありません」という文字がＬＣＤ５に表示されるので、操作者はモード変更が不可能であることを認識できる。
【００８５】
つぎに、状態ＳＴ１０，ＳＴ２０，ＳＴ３０からの更なる状態遷移について説明する。
【００８６】
状態ＳＴ１０においてメニューボタン８ｂを押下すると状態ＳＴ１１へと移行し、再びメニューボタン８ｂを押下すると状態ＳＴ１０に戻る。状態ＳＴ１１は、撮影モード内のサブモードへの変更等を行うことが可能な状態であり、撮影種類等を設定するための「撮影メニュー」がＬＣＤ５に表示される。状態ＳＴ１１においては、ライブビュー画像が背景画像として表示されたまま、撮影メニュー画面の各項目がオーバーレイ表示される。
【００８７】
また、状態ＳＴ２０においてメニューボタン８ｂを押下すると状態ＳＴ２１へと移行し、再びメニューボタン８ｂを押下すると状態ＳＴ２０に戻る。状態ＳＴ２１は、再生モードでの各種の設定を行うことが可能な状態であり、各種の設定動作を行うためのメニュー画面である「再生メニュー」がＬＣＤ５に表示される。状態ＳＴ２１においては、撮影画像（再生画像）が背景画像として表示されたまま、再生メニュー画面の各項目がオーバーレイ表示される。
【００８８】
さらに、状態ＳＴ３０においてメニューボタン８ｂを押下すると状態ＳＴ３１へと移行し、再びメニューボタン８ｂを押下すると状態ＳＴ３０に戻る。状態ＳＴ３１は、アルバム再生モードでの各種の設定を行うことが可能な状態であり、各種の設定動作を行うためのメニュー画面である「アルバム再生メニュー」がＬＣＤ５に表示される。状態ＳＴ３１においては、アルバム画像が背景画像として表示されたまま、アルバム再生メニュー画面の各項目がオーバーレイ表示される。
【００８９】
また、図８、図９、および図１０は、それぞれ、状態ＳＴ１１、状態ＳＴ２１、状態ＳＴ２２でのＬＣＤ５に表示されるメニュー画面Ｇ１１，Ｇ２１，Ｇ３１を示す図である。
【００９０】
図８は、状態ＳＴ１１における撮影メニュー画面Ｇ１１の一例を示す図である。この撮影メニュー画面Ｇ１１などを用いた各種の設定操作によれば、撮影の種類を変更することなどが可能である。具体的には、メニュー画面Ｇ１１の中から「単写」又は「連写」を選択すれば静止画像の撮影が可能であり、「動画」を選択すれば動画の撮影が可能である。また、音声の録音動作を行うことも可能である。たとえば、「ボイスメモ」を選択すれば、１枚の静止画像の撮影後の一定期間にわたって音声を記録することができる。また、「ボイスレコード」を選択すれば、静止画像の記録を伴うことなく、音声のみを録音することができる。
【００９１】
図９は、状態ＳＴ２１における再生メニュー画面Ｇ２１の一例を示す図であり、図１０は、状態ＳＴ３１におけるアルバム再生メニュー画面Ｇ３１の一例を示す図である。メニュー画面Ｇ２１，Ｇ３１などを用いた各種の操作によれば、撮影画像等に対する様々な設定動作を行うことが可能である。
【００９２】
図９と図１０とを比較すると判るように、再生メニュー画面Ｇ２１とアルバム再生メニュー画面Ｇ３１とは類似の構成を有している。具体的には、「プロテクト」、「削除」、「スライドショー」、「プリント指定」、「カメラのセットアップ」の各項目は、いずれのメニューにおいても存在している。すなわち、両メニュー画面Ｇ２１，Ｇ２２の項目は、部分的に一致している。
【００９３】
言い換えれば、再生モードおよびアルバム再生モードの両モードにおけるメニュー画面はいずれも階層構造を有しており、両モードにおける同一階層のメニュー画面（たとえば、両モードの各初期画面Ｇ２０，Ｇ３０の次に最初に表示される第１の階層の各メニュー画面Ｇ２１，Ｇ３１）は、互いに一致する項目（「プロテクト」、「削除」、「スライドショー」、「プリント指定」、「カメラのセットアップ」の各項目）を有している。
【００９４】
したがって、再生モードおよびアルバム再生モードのいずれのモードにおいても、「プロテクト」、「削除」、「スライドショー」、「プリント指定」、「カメラのセットアップ」の各項目に関する設定動作を、同様のメニュー画面Ｇ２１，Ｇ３１等を用いた類似の操作で実現することができる。これにより、操作における統一感が増大する。言い換えれば、操作者は共通操作で同様の設定動作を行うことができるので、操作性が高い。
【００９５】
また、その一方で、再生モードにおけるメニュー画面Ｇ２１には「再生メニュー」であることが文字を用いて明示され、アルバム再生モードにおけるメニュー画面Ｇ３１には「アルバム再生メニュー」であることが文字を用いて明示される。すなわち、再生モードおよびアルバム再生モードおける各メニュー画面Ｇ２１，Ｇ３１は、それぞれ、再生モードおよびアルバム再生モードのいずれのモードのメニュー画面であるかを示す「識別部分」を有している。したがって、操作者は、ＬＣＤ５に表示されているメニュー画面が、再生モードにおけるメニュー画面Ｇ２１であるのか、あるいは、アルバム再生モードにおけるメニュー画面Ｇ３１であるのかを、確実に認識することが可能である。
【００９６】
特に、この実施形態においては、ＱＶボタン１１の押下に応答して再生モード（状態ＳＴ２０）とアルバム再生モード（状態ＳＴ３０）とが容易に切り替えられる。また、更なる操作（具体的には、メニューボタン８ｂの押下）に応答して、状態ＳＴ２０から状態ＳＴ２１へと容易に移行することもでき、同様に状態ＳＴ３０から状態ＳＴ３１へと容易に移行することもできる。そして、モードの移行操作等が容易であるが故に、操作者は状態ＳＴ２１、ＳＴ３１でのメニュー画面がいずれのモードにおけるメニュー画面であるかを誤認する事態になることが想定される。
【００９７】
しかしながら、このような場合においても、各状態ＳＴ２１，３１における各メニュー画面Ｇ２１，Ｇ３１に表示されている上述の識別部分によって、表示画面が再生モードおよびアルバム再生モードのいずれのモードのメニュー画面であるかを容易に認識することができる。したがって、モードの誤認に起因する誤操作を防止できる。なお、ここでは文字を用いて識別部分を構成しているが、所定の図形等を用いて識別部分を構成するようにしてもよい。
【００９８】
また、メニュー画面の各項目の左端には、３つの種類の記号（具体的には、白い菱形、黒い菱形、×印）のいずれかが表示される。×印は選択不可能な項目であることを意味し、菱形の記号は選択可能な項目であることを意味している。また、黒い菱形は現在選択されている項目を意味している。操作者が、上下方向ののキー７ａまたは７ｂを用いて選択項目を変更し、所望の選択項目の記号が黒い菱形に変更された状態で、実行ボタン８ａを押下すると、その選択項目に対する動作（具体的には、更なるサブメニュー画面の表示）が実行される。
【００９９】
＜アルバム登録＞
つぎに、アルバム登録動作について詳細に説明する。
【０１００】
図１１〜図１３は、登録手順について説明するための図である。図１１は、再生モードにおける状態遷移図を示している。図１２は登録動作の全体の流れを示すフローチャートであり、図１３はその一部の流れを示すフローチャートである。
【０１０１】
まず、図１１に示すように、状態ＳＴ２０においてメニューボタン８ｂを押下すると状態ＳＴ２１に移行する。そして、状態ＳＴ２１でＬＣＤ５に表示される再生メニュー画面Ｇ２１において「アルバムに追加登録」という項目をキー７を用いて選択して実行ボタン８ａを押下すると、状態ＳＴ２２に移行する。なお、状態ＳＴ２２において、メニューボタン８ｂを押下すれば状態ＳＴ２１に戻ることができる。
【０１０２】
状態ＳＴ２２においては、追加登録のためのメニュー画面Ｇ２２が表示される。状態ＳＴ２２のメニュー画面Ｇ２２においては、再生中の撮影画像が背景画像として表示されたままで、メニュー項目がオーバーレイ表示される。
【０１０３】
このメニュー画面Ｇ２２においては、「この画像」および「一括」の２つの項目が表示されている。前者の項目「この画像」は、撮影画像を１枚ずつ登録することを指示するためのコマンドであり、後者の項目「一括」は、撮影画像フォルダ（「１００ＭＬＴ０９」（図４参照））内の複数（ここでは全て）の撮影画像を一括して登録することを指示するためのコマンドである。
【０１０４】
このメニュー画面Ｇ２２で、いずれかの項目が選択された後に実行ボタン８ａが押下されると、全体制御部５０は、一括登録の指示入力を受け付けたものと判定して、アルバム登録動作を実行する。
【０１０５】
このアルバム登録動作について、図１２を参照しつつ説明する。
【０１０６】
まず、ステップＳＰ５０において、一括登録の指示が与えられているのか否かが判定される。一括登録の指示が与えられている場合には、ステップＳＰ５１に進み、そうでない場合（すなわち画像を１つずつ登録する旨の指示が与えられている場合）には、ステップＳＰ６１に進む。
【０１０７】
ステップＳＰ５１においては、メモリカード９０の空き容量が確認される。そして、一括登録に必要な容量（言い換えれば、撮影画像フォルダ内の全ファイルをアルバム登録するために必要な容量）とメモリカード９０内の空き容量（未使用領域の容量）とが比較される。一括登録に必要な容量がメモリカード９０内に残存していないと判定されると、メモリカードが容量不足であることを示す文字等がＬＣＤ５に一定期間（例えば数秒間）にわたって表示され（ステップＳＰ５９）、状態ＳＴ２１（図１１）に戻る。一方、一括登録に必要な容量がメモリカード９０内に残存していると判定されると、ステップＳＰ５２に進む。
【０１０８】
ステップＳＰ５２においては、撮影画像フォルダ内の最初のファイル（シリアル番号が最も小さなファイル）が、登録処理の対象ファイル（登録対象ファイル）として指定される。
【０１０９】
ステップＳＰ５３においては、登録対象のデータファイルに対応するアルバムファイルが既に作成されているか否か、言い換えれば、登録対象ファイルが既にアルバム登録されているファイルであるか否かが判定される。すなわち、重複登録がチェックされる。
【０１１０】
登録処理の対象ファイルが既にアルバム登録されていることが検出された場合には、ステップＳＰ５５に進み、重複登録の警告が出力される。例えば、登録対象ファイルと同一の撮影画像ファイルが既にアルバム登録されている旨を示す文字等が、警告としてＬＣＤ５に表示される。そして、重複登録を回避するため、登録対象ファイルのアルバム登録が禁止され、登録対象ファイルをアルバム登録することなく、ステップＳＰ５６に進む。これにより、同一の撮影画像ファイル（データファイル）を重複してアルバム登録することを回避できる。
【０１１１】
一方、登録対象ファイルが未だアルバム登録されていない場合には、ステップＳＰ５４のアルバムファイル作成処理に進む。
【０１１２】
図１３は、ステップＳＰ５４，ＳＰ６４におけるアルバムファイル作成処理の詳細動作（ステップＳＰ７０）を示すフローチャートである。ここでは、登録処理の対象ファイルが静止画像ファイルであることを前提に説明を行う。
【０１１３】
まず、ステップＳＰ７１において、対象の撮影画像ファイルの高解像度（１６００×１２００画素）の画像データを伸張し、その画像データをステップＳＰ７２においてＶＧＡサイズ（６４０×４８０画素）にリサイズして再圧縮する。
【０１１４】
ステップＳＰ７３においては、新規のアルバム画像ファイルのファイル名が決定される。特に、新規ファイル名のシリアル番号が決定される。具体的には、デジタルカメラ１は、アルバム情報ファイル（「Ａｌｂｕｍ．ｉｎｆ」（図６参照））を参照し、既登録ファイルのシリアル番号のうち最も大きな番号（即ち最も新しく登録されたファイルのシリアル番号）を１つインクリメントした番号を、新規ファイルのシリアル番号として決定する。たとえば、図６に示すように、最後の登録ファイルが「Ａｌｂｍ００９４．ｊｐｇ」である場合には、新規ファイルのシリアル番号は「００９５」になる。このとき、新規のアルバム画像ファイルの名称は、「Ａｌｂｍ００９５．ｊｐｇ」に決定される。この名称は、アルバムファイルであることを示す「Ａｌｂｍ」とそのシリアル番号とデータ内容の種類が静止画像であることを示す拡張子「ｊｐｇ」とを合成して生成される。
【０１１５】
ステップＳＰ７４においては、リサイズしたＶＧＡサイズのデータを用いて、この名称「Ａｌｂｍ００９５．ｊｐｇ」を有するアルバム画像ファイルを作成する。そして、ステップＳＰ７５において、さらにこの新規ファイルの属性を読み取り専用（リードオンリー）に設定する。これにより、この新規ファイルにプロテクトがかかることになる。
【０１１６】
その後、ステップＳＰ７６において、アルバム情報ファイル（「Ａｌｂｕｍ．ｉｎｆ」）にファイル「Ａｌｂｍ００９５．ｊｐｇ」の情報を追記して、アルバム情報ファイルを更新する。
【０１１７】
再び、図１２を参照する。
【０１１８】
次のステップＳＰ５６において、全ての撮影画像についてアルバム登録が終了したか否かが判定される。
【０１１９】
未処理の撮影画像が撮影画像フォルダ内に存在する場合には、次のファイルを登録対象ファイルとして指定（ステップＳＰ５７）した後、進行状況表示を行い（ステップＳＰ５８）、再びステップＳＰ５３以降の処理を繰り返す。進行状況表示には、アルバム登録中であること、および処理中のファイルが何番目のものであるかが示される。たとえば、「アルバム登録しています。．．．２／１０」という表示によって、全１０個のファイルのうち２番目のファイルを処理中であることを示すことができる。
【０１２０】
一方、撮影画像フォルダ内の全ての撮影画像についてのアルバム登録処理が完了している場合には、このルーチンを終了し、状態ＳＴ２１に復帰する。このようにして、状態ＳＴ２２（図１１）において「一括」を選択して実行ボタン８ａを１回押下すること（すなわち、一括登録の指示入力）に応答して、複数のアルバムファイルが作成される。登録対象画像指定のためのボタン操作および登録開始のための実行ボタン８ａの押下操作という一連の操作を繰り返す必要がないので、一括登録時の操作が容易である。また、特に、撮影画像フォルダ内の「全て」の撮影画像についてのアルバム登録処理は、操作者による操作頻度が高く、そのような登録操作を容易化することが可能である。
【０１２１】
また、ステップＳＰ５０からステップＳＰ６１に進んだ場合（個別登録の指示が与えられた場合）にも同様の処理が行われる。ステップＳＰ６１，ＳＰ６３，ＳＰ６４，ＳＰ６５は、それぞれ、ステップＳＰ５１，ＳＰ５３，ＳＰ５４，ＳＰ５５と同様の処理である。ただし、ステップＳＰ６１においては、１つのファイルのアルバム登録に必要な容量がメモリカード９０内に残存しているか否かが判定される。
【０１２２】
ところで、上記のステップＳＰ５３における重複登録チェックにおいては、アルバム情報ファイル「Ａｌｂｕｍ．ｉｎｆ」の情報が用いられる。
【０１２３】
アルバム情報ファイルには、図６に示すように、登録された複数のアルバムファイルのそれぞれに関する情報が含まれている。具体的には、アルバム情報ファイルには、アルバムフォルダ内に含まれる各アルバムファイルに関するファイル名およびファイル属性に加えて、各アルバムファイルの登録元の撮影画像ファイルのファイル名、その撮影画像ファイルの撮影に使用したデジタルカメラのシリアル番号、およびその撮影画像ファイルの撮影日時の情報が記述されている。
【０１２４】
たとえば、アルバムファイル「Ａｌｂｍ０００３．ｊｐｇ」に関しては、そのファイル属性が読み取り専用（リードオンリー）であり、対応するアルバム登録時の元画像は「Ｐｉｃｔ０００６．ｊｐｇ」であり、その元画像の撮影日時は２００２年１２月０１日１２時３４分５６秒であり、その元画像の撮影に使用されたデジタルカメラの製品シリアル番号（カメラの識別番号）は「０１２３４５６７」であることが記述されている。なお、製品シリアル番号は、各デジタルカメラ１のＲＯＭ５０ｂなどに格納されており、撮影時に読み出され撮影画像ファイルのタグ情報ＴＧに記述されている。また、撮影日時もタグ情報ＴＧに記述されている。そのため、デジタルカメラ１は、各登録対象ファイルのタグ情報ＴＧの情報を読み出して、各種の情報をアルバム情報ファイルに記録することができる。
【０１２５】
上記のステップＳＰ５３においては、アルバム登録における元画像のファイル名とデジタルカメラのシリアル番号と撮影日時との３つの条件（３つの情報）が、登録対象の撮影画像ファイルと登録済みの撮影画像ファイルとの間で全て一致するか否かによって、登録対象の撮影画像ファイルが既にアルバム登録されたものか否かを判定する。元画像のファイル名だけでなく、デジタルカメラのシリアル番号および撮影日時もが一致しているか否かを考慮しているので、重複登録をより正確に判定することができる。
【０１２６】
なお、これに限定されず、３つの条件のうち、いずれか１つまたは２つが一致しているか否かによって重複登録を判定しても良い。たとえば、アルバム登録における元画像のファイル名とデジタルカメラのシリアル番号との２つの条件が、登録対象の撮影画像ファイルと登録済みの撮影画像ファイルとの間で全て一致するか否かによって、登録対象の撮影画像ファイルが既にアルバム登録されたものか否かを判定してもよい。元画像のファイル名だけでなく、デジタルカメラのシリアル番号もが一致しているか否かを考慮しているので、重複登録をより正確に判定することができる。たとえば、これによれば、異なるデジタルカメラで撮影され撮影日時が偶然に一致し且つファイル名も偶然に一致した２つのファイルが、本来は異なる撮影画像であることを正確に判定できる。
【０１２７】
また、上記実施形態においては、状態ＳＴ２２において「一括」を選択して実行ボタン８ａを押下するだけで、撮影画像フォルダ内の全てのファイルを一括してアルバム登録することができるので、操作が容易である。
【０１２８】
また、一括登録の場合には、新規登録されたアルバムファイルのシリアル番号は登録元の撮影ファイルのシリアル番号の昇順に付与されるので、両者の対応関係において、その順序が入れ替わることがない。したがって、元の撮影ファイルとアルバムファイルとの間の関係を把握しやすい。
【０１２９】
さらに、撮影画像の再生時には、その撮影画像が既にアルバム登録の対象となっているか否かを判定し、その撮影画像が既にアルバム登録の対象となっている場合には、登録済みを示すマークを撮影画像に重ねてＬＣＤ５に表示する。
【０１３０】
図１４は、アルバム登録後再び状態ＳＴ２０に戻ったときのＬＣＤ５での表示画面を示す図である。図１４に示すように、この画面においては、撮影画像が表示されるとともに、画面内の右下側にマークＭＫ１が撮影画像に重ねて表示されている。このマークＭＫ１は、登録済みであることを示すものである。操作者は、このマークＭＫ１によって、既にアルバム登録された画像であるか否かを容易に判別することが可能になる。また、状態ＳＴ２０の画面だけでなく、状態ＳＴ２１，ＳＴ２２の画面においても、同様のマークＭＫ１を表示を行う。これにより、いずれの状態でも同様の効果を得ることができる。
【０１３１】
また、上記においては、重複登録の警告を出力するとともに、同一のデータファイル（撮影画像ファイル）に基づく複数のアルバムファイル（アルバム画像ファイル）の作成を禁止する場合を例示したが、これに限定されない。
【０１３２】
たとえば、重複登録の警告を出力することなく、同一のデータファイルに基づく複数のアルバムファイルの作成を禁止するようにしてもよい。言い換えれば、対応するアルバムファイルが既に作成されているデータファイルについては、当該データファイルに基づくアルバムファイルの再作成を禁止するようにしてもよい。
【０１３３】
より詳細には、ステップＳＰ５３（図１２）で重複登録が検出されたときには、ステップＳＰ５５の重複登録の警告画面を表示することなく、ステップＳＰ５４のアルバムファイルの作成処理を行わないようにしてもよい。
【０１３４】
あるいは、上記のように、状態ＳＴ２１（図１１）から状態ＳＴ２２に移行した後のステップＳＰ５３，ＳＰ６３における判定動作によって重複登録を回避するのではなく、状態ＳＴ２１において図１５に示すような画面をＬＣＤ５に表示し状態ＳＴ２２に移行させないようにして重複登録を回避するようにしてもよい。図１５においては、「アルバムに追加登録」の選択肢の左側の記号が×印になっており、操作者のキー操作によっても選択できない状態となっている。したがって、状態ＳＴ２１から、登録操作を行う次の状態ＳＴ２２（図１１）に進めないため、重複登録を回避できる。このように、再生モードでの各撮影画像ファイル（データファイル）についてのメニュー画面において、アルバム登録のための選択肢を選択できないようにすることなどによって、アルバム登録済みの撮影画像ファイルに対してはアルバム登録操作を禁止するようにしてもよい。
【０１３５】
また、逆に、重複登録の警告を出力する場合であっても、一定の条件の下でアルバムファイルの再作成を許可するようにしてもよい。具体的には、ステップＳＰ５５の警告表示画面において、重複登録の警告を発するとともに、アルバム登録を強行するか否かを問い合わせ、強行すべき旨の指示を受け付けたときのみ、アルバム登録処理を行うようにしてもよい。この場合、ユーザによる判断の機会が得られるので、重複登録を回避することが可能である。
【０１３６】
＜静止画像ファイル以外のアルバム登録＞
図１６は、デジタルカメラ１における撮影動作等によって、メモリカード９０内の撮影画像フォルダ内に格納されたファイル群の一例を示す図である。
【０１３７】
このデジタルカメラ１においては、図１６に示すような、静止画像ファイル（例えば「Ｐｉｃｔ００１０．ｊｐｇ」）以外のファイル、具体的には、動画像および音声に関するデータファイルもアルバム登録の対象とすることができる。より詳細には、「ボイスメモ」による音声ファイル（例えば「Ｐｉｃｔ００１１．ｗａｖ」）、「ボイスレコード」による音声ファイル（例えば「Ｐｉｃｔ００１２．ｗａｖ」）、「アフターレコーディング（アフレコとも略称する）」による音声ファイル（例えば「Ｐｉｃｔ００３２．ｗａｖ」）、「動画」に関する動画像ファイル（例えば「Ｐｉｃｔ００１３．ａｖｉ」）のそれぞれもアルバム登録の対象とすることが可能である。
【０１３８】
このような各種のデータファイルのアルバム登録作業の説明に先立って、各データファイルの概要について説明する。
【０１３９】
「ボイスメモ」、「ボイスレコード」、「動画」による各ファイルは、撮影メニュー画面Ｇ１１などを用いた所定の操作によって取得される。
【０１４０】
例えば、撮影モードが「ボイスメモ」に設定された後にシャッタボタン９が押下されると、静止画像の撮影とともに一定時間の音声の録音が行われる。図１６では、撮影動作による静止画像ファイル「Ｐｉｃｔ００１１．ｊｐｇ」が、ボイスメモとして録音された音声ファイル「Ｐｉｃｔ００１１．ｗａｖ」とともに取得される場合が示されている。両ファイルは、その拡張子が異なっているが、ファイル番号は同一である。ファイル番号を同一とすることによって、両ファイルが互いに関連付けされていることを容易に判別できる。
【０１４１】
また、撮影モードが「ボイスレコード」に設定された後に、シャッタボタン９が押下されると音声の録音が開始されシャッタボタン９が再度押下されると音声の録音が終了する。この録音動作によって、「ボイスレコード」による音声ファイル（たとえば「Ｐｉｃｔ００１２．ｗａｖ」）のみが生成される。この撮影画像フォルダ内には同一番号のファイルが存在しないため、この音声データには撮影画像が関連付けられていないことを判別できる。
【０１４２】
さらに、撮影モードが「動画ファイル」に設定された後に、シャッタボタン９が押下されると動画の記録動作が開始されシャッタボタン９が再度押下されると動画の記録動作が終了する。この記録動作（撮影動作）によって、動画像ファイル（たとえば「Ｐｉｃｔ００１３．ａｖｉ」）のみが生成される。
【０１４３】
また、「アフターレコーディング」による音声データは、図１７に示すような状態遷移を辿ることによって取得される。具体的には、まず、状態ＳＴ２１（図７も参照）でＬＣＤ５に表示される再生メニューの選択肢の中から「画像編集」の項目を選択して実行ボタン８ａを押下することによって、状態ＳＴ２６に移行する。そして、状態ＳＴ２６でＬＣＤ５に表示されるメニュー画面（「画像編集」のサブメニュー）Ｇ２６の中から「アフターレコーディング」という項目を選んで実行ボタン８ａを押下すると、状態ＳＴ２７に移行する。状態ＳＴ２７では、マイク１２による録音が実行され、ＬＣＤ５においては、最大録音可能時間に対する録音済み時間の割合がプログレスバーによって表示される。その後、最大録音可能時間が経過した時、あるいは、実行ボタン８ａが再度押下された時に、アフレコが終了する。そして、音声ファイルが生成されるとともに、その音声ファイルの静止画像ファイルに対する関連付けが行われる。
【０１４４】
たとえば、静止画像ファイル「Ｐｉｃｔ００３１．ｊｐｇ」の撮影の後に、静止画像ファイル「Ｐｉｃｔ００２１．ｊｐｇ」に対してアフレコ操作を行ったときには、音声ファイル「Ｐｉｃｔ００３２．ｗａｖ」が静止画像ファイル「Ｐｉｃｔ００２１．ｊｐｇ」に関連付けられた状態で生成される。この関連付け情報は、静止画像ファイル「Ｐｉｃｔ００２１．ｊｐｇ」のタグ情報ＴＧ内にデジタルカメラ１によって記録される。具体的には、関連ファイルの名称として「Ｐｉｃｔ００３２．ｗａｖ」が記述されることによって、両ファイルの関連付けが行われる。
【０１４５】
なお、アフレコによる音声ファイルとボイスメモによる音声ファイルとは次の点で相違する。すなわち、前者が撮影画像の再生時点で生成されるのに対して、後者が画像の撮影時点で生成される点で相違する。
【０１４６】
また、再生モードの表示画面（より詳細には状態ＳＴ２１，ＳＴ２２（図１１参照）などでの表示画面）においては、各種のファイルは図１８に示すような状態で、再生画像として表示される。図１８は、各種ファイルの再生時の画面を示す図である。なお、アルバム再生モードにおいても、各ファイルの種類に応じて、図１８と同様の表示画面が、アルバム画像として表示される。
【０１４７】
具体的には、音声ファイルと関連付けられていない静止画像ファイルは、音声との関連付けを示すマークが付与されることなくＬＣＤ５においてそのまま表示される。
【０１４８】
また、音声ファイルと関連付けられている静止画像ファイル（たとえば、「アフレコ」が施された静止画像ファイル、あるいは「ボイスメモ」のモードで撮影された静止画像ファイル）は、音声データであることを想起させるマークＭＫ２がその静止画像に付与された状態でＬＣＤ５に表示される。これにより、音声に関連付けられた画像であることが明示される。なお、その後の実行ボタン８ａの押下に応答して音声データの再生動作が開始される。
【０１４９】
さらに、他の画像ファイルに関連付けられていない音声ファイル（たとえば、「ボイスレコーディング」のモードで録音された音声ファイル）については、画像を伴うことなく、撮影画像に関連付けられていない音声データであることを明示するマークＭＫ３がＬＣＤ５に表示される。なお、実行ボタン８ａの押下に応答して音声データの再生動作が開始される。
【０１５０】
また、動画像ファイルについては、最初はその先頭フレームが表示される。そして、実行ボタン８ａの押下に応答して動画像の再生動作が開始される。
【０１５１】
以上がデータファイルの概要である。
【０１５２】
つぎに、各種のデータファイルのアルバム登録作業について説明する。全体の流れは、図１２を参照して上述した通りである。再生モードの状態ＳＴ２２において、撮影画像フォルダ内の少なくとも１つの種類の少なくとも１つのファイルがアルバム登録の対象ファイルとして指定されると、上述したような流れでアルバム登録動作が実行される。
【０１５３】
ただし、上記においては、図１３を参照しつつ、登録処理の対象ファイルが静止画像ファイルであることを前提に説明を行ったが、ここでは、より一般的なアルバムファイル作成処理（ステップＳＰ５４，ＳＰ６４）について、図１９および図２０を参照しつつ説明する。図１９および図２０のアルバムファイル作成処理は、静止画像以外のファイル、具体的には図１８に示すような複数の種類のファイルのそれぞれに対しても適用可能である。
【０１５４】
まず、ステップＳＰ８１においては、アルバム登録対象のファイルが動画像ファイル（単に動画ファイルとも称する）であるか否かが判定される。登録対象ファイルが動画ファイルである場合にはステップＳＰ１０１に進み、登録対象ファイルが動画ファイルでない場合（詳細には、登録対象ファイルが静止画像ファイルまたは音声ファイルの場合）にはステップＳＰ８２に進む。
【０１５５】
ステップＳＰ８２に進むと、さらに登録対象が音声のみのファイルであるか否かが判定される。登録対象が音声のみのファイルである場合（すなわち、「ボイスレコーディング」による音声ファイルの場合）にはステップＳＰ９６に進み、登録対象が音声のみのファイルでない場合（すなわち、音声データに関連付けられた静止画像データである場合）にはステップＳＰ８３に進む。
【０１５６】
登録対象の撮影画像ファイルが単なる静止画像ファイルの場合には、ステップＳＰ８３，ＳＰ８４，ＳＰ８５を経た後、その撮影画像に関連付けられた音声が存在しないとステップＳＰ８６で判定されて、さらにステップＳＰ８７，ＳＰ８８を経てステップＳＰ８９に進む。
【０１５７】
ここで、ステップＳＰ８３，ＳＰ８４，ＳＰ８５，ＳＰ８７，ＳＰ８８の各処理は、それぞれ、上述のステップＳＰ７１，ＳＰ７２，ＳＰ７３，ＳＰ７４，ＳＰ７５の各処理と同様である。また、ステップＳＰ８９では、アルバム情報ファイル（「Ａｌｂｕｍ．ｉｎｆ」）が更新される。
【０１５８】
一方、登録対象の撮影画像ファイルが、関連する音声ファイルを有する場合には、ステップＳＰ８３，ＳＰ８４，ＳＰ８５を経た後、その撮影画像に関連付けられた音声が存在するとステップＳＰ８６で判定され、さらにステップＳＰ９１，ＳＰ９２，ＳＰ９３，ＳＰ９４，ＳＰ９５を経て撮影画像ファイルおよび音声ファイルの双方をアルバム登録した後に、ステップＳＰ８９に進む。ステップＳＰ８９では、アルバム情報ファイル（「Ａｌｂｕｍ．ｉｎｆ」）が更新される。
【０１５９】
たとえば、「アフレコ」作業を行った静止画像ファイル「Ｐｉｃｔ００２１．ｊｐｇ」をアルバム登録する場合について説明する。なお、この静止画像ファイル「Ｐｉｃｔ００２１．ｊｐｇ」には、「アフレコ」作業によって音声ファイル「Ｐｉｃｔ００３２．ｗａｖ」が関連付けられている（図１６参照）。また、図２１はステップＳＰ８９における更新後のアルバム情報ファイルの内容を示す図である。
【０１６０】
この場合、まずステップＳＰ９１において、新規アルバム音声ファイルのファイル名が決定される。より詳細には、新規アルバム音声ファイルに対して、ステップＳＰ８５で決定された新規アルバム画像ファイルの名称と同一の名称（ただし拡張子部分を除く）が付与されることが決定される。たとえば、静止画像ファイル「Ｐｉｃｔ００２１．ｊｐｇ」のアルバム登録ファイルに対して「Ａｌｂｍ０１０１．ｊｐｇ」という名称が付与される場合には、音声ファイル「Ｐｉｃｔ００３２．ｗａｖ」のアルバム登録ファイルに対して「Ａｌｂｍ０１０１．ｗａｖ」という名称が付与される。このように、新規アルバム画像ファイルと新規アルバム音声ファイルとは、先頭の８文字（最初の「Ａｌｂｍ」の４文字およびそれに続くシリアル番号を示す４文字）は同一である。したがって、関連性を識別しやすい。
【０１６１】
次のステップＳＰ９２においては、新規アルバム画像ファイルのタグ情報として、当該新規アルバム画像ファイルに関連する新規アルバム音声ファイル名を記録する。たとえば、新規アルバム画像ファイル「Ａｌｂｍ０１０１．ｊｐｇ」のタグ情報に、新規アルバム音声ファイル「Ａｌｂｍ０１０１．ｗａｖ」に対する関連付け情報が記述される。この関連付け情報によっても、両ファイルの関連性を認識できる。
【０１６２】
そして、ステップＳＰ９３においては、実際にアルバム画像ファイルがアルバムフォルダ内に新規に作成され、その新規のアルバム画像ファイルに読み取り専用の属性が付与される。また、ステップＳＰ９４では、実際にアルバム音声ファイルをアルバムフォルダ内に新規に作成する。新規のアルバム音声ファイルは、ファイル「Ａｌｂｍ０１０１．ｗａｖ」をコピー（複製）して作成され、そのファイル名称として、ステップＳＰ９１で決定された名称が付与される。そして、ステップＳＰ９５においては、アルバム音声ファイルに対しても読み取り専用属性が付与される。
【０１６３】
また、登録対象のファイルが、「ボイスレコーディング」により得られた音声データである場合には、ステップＳＰ８２からステップＳＰ９６に進み、ステップＳＰ９４，ＳＰ９５を経て「ボイスレコーディング」による音声ファイルが単独でアルバム登録される。また、アルバム登録における登録内容は、アルバム情報ファイル（「Ａｌｂｕｍ．ｉｎｆ」）に記述される（ステップＳＰ８９）。
【０１６４】
具体的には、ステップＳＰ９６においては、新規アルバム音声ファイルの名称が決定される。具体的には、アルバムファイルであることを示す４文字「Ａｌｂｍ」の後に、４文字のシリアル番号を付加することによって決定される。シリアル番号は、アルバム情報ファイルに記載されたアルバムファイルの最後尾のシリアル番号に１を足した値として決定される。また、ファイルの拡張子としては、音声ファイルであることを示す「ｗａｖ」が付与される。その後、ステップＳＰ９６で決定された名称新規のアルバム音声ファイルがアルバムフォルダ内に実際に作成され（ステップＳＰ９４）、そのアルバム音声ファイルに対して読み取り専用属性が付与される（ステップＳＰ９５）。その後、ステップＳＰ８９で、アルバム情報ファイル（「Ａｌｂｕｍ．ｉｎｆ」）が例えば図２２のように更新される。図２２は、音声ファイル「Ｐｉｃｔ００１２．ｗａｖ」のコピーファイルが、アルバム音声ファイル「Ａｌｂｍ０１０１．ｗａｖ」としてアルバムフォルダ内に作成されたときのアルバム情報ファイルの一部を示している。
【０１６５】
また、登録対象のファイルが動画像である場合には、ステップＳＰ８１からステップＳＰ１０１に進む。ステップＳＰ１０１では、アルバム登録ファイルとして、動画像の先頭フレームのみをアルバム登録する旨と動画像の全フレームをアルバム登録する旨とのうちのいずれの選択肢が選択されているかが判定される。
【０１６６】
デジタルカメラ１においては、このような設定に関する選択操作を、図２３に示すような画面を用いてあらかじめ行っておくことが可能である。この画面は、状態ＳＴ１１，ＳＴ２１，ＳＴ３１で項目「カメラのセットアップ」を選択して表示されるメニュー画面において、さらに「動画ファイルのアルバム登録」という項目を選択することによってＬＣＤ５に表示される。そして、この画面内の「先頭フレームのみ」および「全フレーム」のうちの所望の選択肢を上下方向のキー７ａ，７ｂおよび実行ボタン８ａを用いて選択することによって、所望の設定状態とすることができる。
【０１６７】
ステップＳＰ１０１において、動画像の先頭フレームのみをアルバム登録する旨が設定されていると判定される場合には、動画像の先頭フレームのみを切り出して（ステップＳＰ１０２）、さらにステップＳＰ８４に進む。その後、ステップＳＰ８５，ＳＰ８６，ＳＰ８７，ＳＰ８８を経由して、動画像の先頭フレームである静止画像が、アルバムフォルダ内にアルバムファイルとして登録される。その後、ステップＳＰ８９で、アルバム情報ファイル（「Ａｌｂｕｍ．ｉｎｆ」）が例えば図２４のように更新される。図２４は、動画像ファイル「Ｐｉｃｔ００１３．ａｖｉ」の先頭フレームの静止画像のコピーファイルが、アルバム画像ファイル「Ａｌｂｍ０１０１．ｊｐｇ」としてアルバムフォルダ内に作成されたときのアルバム情報ファイルの一部を示す図である。
【０１６８】
一方、ステップＳＰ１０１において、動画像の全フレームをアルバム登録する旨が設定されていると判定される場合には、動画像ファイル自体をアルバム登録する。
【０１６９】
具体的には、デジタルカメラ１は、新規アルバムファイルのファイル名を決定する（ステップＳＰ１０３）。詳細には、アルバム情報ファイルを参照して、既存のアルバムファイルのシリアル番号のうち最も大きな番号を１つインクリメントした値をシリアル番号とするファイル名を決定する。そして、登録対象の動画像ファイルをアルバムフォルダ内にコピーしてアルバム動画ファイルを作成する（ステップＳＰ１０４）。新規のアルバム動画ファイルには、ステップＳＰ１０３で決定された名称が付与される。そして、そのアルバム動画ファイルのファイル属性が読み取り専用に設定される（ステップＳＰ１０５）。その後、ステップＳＰ８９で、アルバム情報ファイル（「Ａｌｂｕｍ．ｉｎｆ」）が例えば図２５のように更新される。
【０１７０】
図２５は、動画像ファイル「Ｐｉｃｔ００１３．ａｖｉ」自体のコピーファイルが、アルバム動画ファイル        「Ａｌｂｍ０１０１．ａｖｉ」としてアルバムフォルダ内に作成されたときのアルバム情報ファイルの一部を示す図である。
【０１７１】
このように、様々な種類のファイルをアルバム登録することが可能である。
【０１７２】
以上のように、デジタルカメラ１は、撮影によって得られる撮影画像を撮影動作に伴って撮影画像フォルダに格納するように構成される。そして、操作者が気に入った撮影画像を保存しておくために所定の操作を行った場合には、撮影画像フォルダに格納された撮影ファイルに対応するアルバムファイルが、撮影画像フォルダとは異なる領域のアルバムフォルダに格納されるようになっている。
【０１７３】
また、この実施形態においては、音声ファイルに関連付けられた画像ファイル（例えば、「ボイスメモ」で撮影された画像ファイル）を、アルバム登録の対象として指定すると、その画像ファイルだけでなく、その画像ファイルに関連付けられた音声ファイルもアルバムファイルとして登録される。したがって、音声ファイルを別個に登録する操作を要することなく、画像ファイルおよび音声ファイルの両ファイルをアルバム登録することが可能である。すなわち、操作が簡易である。このように、他のファイルに関連付けがなされているファイル（例えばボイスメモの画像ファイル）が一括登録の対象とされているときには、当該他のファイル（例えばボイスメモの音声ファイル）に基づくファイルもアルバムファイルとして作成されるので、アルバム登録操作が簡易である。
【０１７４】
また、一括登録時においても、画像ファイルに基づくアルバムファイルが作成されるだけでなく、その画像にファイルに関連付けられた音声データ等のファイルに基づくアルバムファイルも作成される。したがって、関連付けがなされているファイルをも含め漏れなく確実にアルバム登録することができる。特に、上記のような一括登録操作によって所定フォルダ内の全てのファイルをアルバム登録する場合には、関連付けられたデータファイルをも含め、所定フォルダ内の全てのファイルを簡易にアルバム登録することが可能である。
【０１７５】
さらに、アルバムファイルの関連付け情報は、アルバム情報ファイルで一括管理されている。具体的には、アルバム情報ファイルは、互いに関連付けがなされたファイルに対応するアルバムファイル相互間の関連付け情報を有しており、全体制御部５０は、このアルバム情報ファイルを用いて、関連付け情報を管理している。このように、アルバムファイル相互間の関連付け情報はアルバム情報ファイルを用いて一括管理されているので、関連付け情報をアルバムファイル単位のみで管理する場合に比べて一覧性が高く管理が容易である。
【０１７６】
また、図２３において動画像の先頭フレームのみをアルバム登録する旨が選択されている場合には、その動画像ファイルの特定のフレーム（ここでは先頭フレーム）に対応する静止画像ファイルが、その動画像ファイルに対応するアルバムファイルとして作成される。この場合、当該動画像ファイルの全体がアルバムファイルとしてアルバム登録される場合に比べて、ファイル容量（データサイズ）を抑制することができる。
【０１７７】
＜データ転送＞
つぎに、撮影ファイルおよびアルバムファイルなどのファイルの転送動作について説明する。
【０１７８】
図２６は、このような転送動作を行うファイル転送システム３００を示す図である。図２６に示すように、このファイル転送システム３００は、上述のデジタルカメラ１と、コンピュータ２００とを備えている。ここでは、コンピュータ２００として、パーソナルコンピュータ（ＰＣ）を例示する。コンピュータ２００は、図２６に示すようなハードウエア構成を備えている。
【０１７９】
具体的には、コンピュータ２００は、ＣＰＵ２０２と、ＲＡＭ（および／またはＲＯＭ）などの半導体メモリにより構成される主記憶部２０３ａおよびハードディスクドライブ（ＨＤＤ）などの補助記憶部２０３ｂを有する記憶部２０３と、各種のメディアドライブ２０４と、ディスプレイなどの表示部２０５と、キーボード２０６ａおよびマウス２０６ｂなどの入力部２０６と、ネットワークカードなどの通信部２０７とを備える。なお、メディアドライブ２０４としては、フレキシブルディスクドライブ２０４ａ、メモリカードドライブ（メモリカードリーダ／ライタ）２０４ｂ、および光学ドライブ（例えば、ＤＶＤ−ＲＯＭドライブ）などが設けられている。これらのメディアドライブ２０４によって、フレキシブルディスク、メモリカード、ＣＤ−ＲＯＭ、ＤＶＤ（Ｄｉｇｉｔａｌ  Ｖｅｒｓａｔｉｌｅ  Ｄｉｓｋ）などの各種の可搬性の記録媒体２０９からその中に記録されている情報を読み出すことができる。
【０１８０】
このコンピュータ２００は、記録媒体２０９（たとえばＣＤ−ＲＯＭ２０９ｃ）に記録されたプログラム（ファイル転送プログラム）を読み込み、そのプログラムをＣＰＵ２０２等を用いて実行することによって、デジタルカメラ１等との間でファイルを転送するファイル転送装置として機能する。また、このコンピュータ２００は、転送されたファイルを記憶しておくファイル記憶装置としても機能する。なお、コンピュータを、ファイル転送装置およびファイル記憶装置として機能させるためのプログラムは、記録媒体２０９を介して供給（ないし配給）される場合に限定されず、ＬＡＮおよびインターネットなどのネットワークを介して、このコンピュータに対して供給（ないし配給）されてもよい。
【０１８１】
ファイル転送システム３００においては、このコンピュータ２００とデジタルカメラ１とがＵＳＢ規格の接続ケーブル（ＵＳＢケーブル）などの信号線を介して機械的および電気的に接続される。そして、この接続状態において、デジタルカメラ１とコンピュータ２００との間のファイルの転送動作が行われる。
【０１８２】
転送元のファイルとしては、デジタルカメラ１に装着されたメモリカード９０内のファイル、あるいは、コンピュータ２００のメモリカードドライブ２０４ｂに装着されたメモリカード２０９ｂ内のファイルなどが選択される。また、ファイルの転送先としては、コンピュータ２００のハードディスク（補助記憶部２０３ｂ）内の所定のフォルダなどが選択される。
【０１８３】
図２７〜図３２は、この転送動作を示すフローチャートである。これらの図を参照しながら、転送動作について説明する。図２７の左側には、デジタルカメラ１の動作が記載されており、図２７の右側には、コンピュータ２００の動作が記載されている。また、図２８，図２９はデジタルカメラ１の動作を示すフローチャートであり、図３０，図３１，図３２はコンピュータ２００（ＰＣ）の動作を示すフローチャートである。
【０１８４】
まず、図２７のステップＳＰ２０１において、コンピュータ２００との接続処理が行われる。具体的には、デジタルカメラ１は、所定周期でそのデジタルカメラ１がコンピュータ２００に接続されているか否かを判定する。そして、両者が接続されていることが検出された場合には、デジタルカメラ１の動作モードをファイル転送モードに変更し、次のステップＳＰ２０２に移行する。なお、「ファイル転送モード」は、上述の撮影モード、再生モード、およびアルバム再生モードと同様に、デジタルカメラ１における動作モードの１つである。
【０１８５】
このように、デジタルカメラ１は、コンピュータ２００との接続状態が確立されていることを検出した場合には、その動作モードをファイル転送モードに自動的に移行させる。接続状況に応じて、デジタルカメラ１の動作モードがファイル転送モードへと自動的に切り替わるので、操作が容易である。
【０１８６】
次のステップＳＰ２０２において、デジタルカメラ１は、所定の転送用プログラムがコンピュータ２００において動作しているか否かを判定し、その判定結果（検出結果）に応じて、次のような分岐処理を行う。
【０１８７】
具体的には、所定のファイル転送プログラムがコンピュータ２００で起動中（実行中）であることが検出されたときには、デジタルカメラ１は、そのデジタルカメラ１（ＤＳＣ）自身をスレーブ側機器として機能するように設定する。このとき、コンピュータ２００（ＰＣ）は、ファイル転送プログラムの機能により、システム３００におけるマスター側機器として機能することになる（ステップＳＰ２０４）。そして、デジタルカメラ１は、コンピュータ２００との接続状態であることを示す画面Ｇ２１１をＬＣＤ５に表示する（図２８，ステップＳＰ２１１）。この状態においては、コンピュータ２００で実行中のファイル転送プログラムが主導的役割を担って、転送処理が実行される。このような動作については後に詳述する。
【０１８８】
一方、所定のファイル転送プログラムが実行中でないことが検出されたときには、デジタルカメラ１は、デジタルカメラ１自身がマスター側機器として機能するように設定し、且つ、コンピュータ２００がスレーブ側機器として機能するように設定する（ステップＳＰ２０３）。そして、デジタルカメラ１は、図３３に示すようなメニュー画面Ｇ６１をＬＣＤ５に表示する（図２８，ステップＳＰ２０５）。この状態においては、デジタルカメラ１が主導的役割を担って転送処理が実行される。
【０１８９】
ここにおいて、デジタルカメラ１がコンピュータ２００に接続されていることが検出され、且つ、コンピュータ２００において所定のファイル転送プログラムが実行中でないことが検出されたときには、各種の転送指示を受け付けるためのメニュー画面Ｇ６１がデジタルカメラ１のＬＣＤ５に表示される。これにより、コンピュータ２００ではなくデジタルカメラを用いて転送操作を行えばよい旨が明示されるので、操作者の混乱を防止できる。
【０１９０】
以下では、まず、後者の場合（すなわち、デジタルカメラ１がマスター側機器として機能する場合）について図２８などを参照しながら説明する。
【０１９１】
メニュー画面Ｇ６１（図３３参照）は、３つの選択項目、すなわち、「撮影画像のみ転送」、「撮影画像とアルバム画像の転送」、および「アルバム画像のバックアップ」を有している。
【０１９２】
最初の「撮影画像のみ転送」は、アルバムファイル（アルバム画像等）をメモリカード９０内に残したままメモリカード９０内の全ての撮影ファイル（撮影画像等）をコンピュータ２００内の所定のフォルダに移動する転送指示を意味している。転送が完了した撮影ファイルは、デジタルカメラ１から削除されるため、メモリカード９０の空き容量を増加させることができる。
【０１９３】
次の「撮影画像とアルバム画像の転送」は、メモリカード９０内の全てのアルバムファイルとメモリカード９０内の全ての撮影ファイルとを、コンピュータ２００内の所定のフォルダに移動する転送指示を意味している。撮影ファイルおよびアルバムファイルは、その転送が完了すると、デジタルカメラ１から削除される。これにより、メモリカード９０の空き容量を増加させることができる。
【０１９４】
最後の「アルバム画像のバックアップ」は、メモリカード９０内の全てのアルバムファイルを、バックアップのためにコンピュータ２００内の所定のフォルダにコピー（複製）する指示を意味している。メモリカード９０内のアルバムファイルは、このバックアップ処理の後においても、デジタルカメラ１内に格納されたままである。また、撮影ファイルは、コピーも削除もされず、メモリカード９０内に格納されたままである。
【０１９５】
デジタルカメラ１は、このメニュー画面Ｇ６１をＬＣＤ５に表示したまま、実行ボタン８ａが押下されたか否かについての判定動作（ステップＳＰ２０６）、および、ＱＶボタン１１が押下されたか否かについての判定動作（ステップＳＰ２０７）を行う。
【０１９６】
具体的には、いずれのボタン８ａ，１１も押下されていないときには、再びステップＳＰ２０５，ＳＰ２０６のループ処理を繰り返し実行する。また、ＱＶボタン１１の押下が検出されたときには、デジタルカメラ１は、コンピュータ２００との接続状態を解除し（ステップＳＰ２１３）、その動作モードを撮影モードに変更する（ステップＳＰ２１４）。
【０１９７】
そして、操作者が、上下方向のキー７ａ，７ｂおよび実行ボタン８ａを用いて、いずれかの項目を選択したときには、選択された項目に応じた処理が開始される（ステップＳＰ２０８）。言い換えれば、実行ボタン８ａの押下によって、転送指示が操作者からデジタルカメラ１に対して与えられると、デジタルカメラ１は、この指示に応答して、被選択項目に対応する処理を開始する。
【０１９８】
ステップＳＰ２０８においては、後述するように、１つのファイルに対する転送処理等が実行される。
【０１９９】
１つのファイルに対する転送処理が終了すると、全てのファイルに対する転送処理が終了したか否かが判定される（ステップＳＰ２０９）。
【０２００】
未処理のファイルが残っている場合には、ステップＳＰ２１０を経由して、再びステップＳＰ２０８に戻り、項目に応じた処理がさらに実行される。また、ステップＳＰ２１０においてＱＶボタン１１の押下が検出されたときには、デジタルカメラ１は、コンピュータ２００との接続状態を解除し（ステップＳＰ２１３）、その動作モードを撮影モードに変更する（ステップＳＰ２１４）。
【０２０１】
一方、ステップＳＰ２０９で全ての処理が終了したと判定されると、再びステップＳＰ２０５に戻る。
【０２０２】
つぎに、ステップＳＰ２０８について図２９を参照しながら説明する。図２９は、ステップＳＰ２０８の詳細動作を示す図である。
【０２０３】
まず、ステップＳＰ３１１において、いずれの選択項目が選択されているのかが判定される。「撮影画像のみ転送」が選択されている場合にはステップＳＰ３１２に進み、「撮影画像とアルバム画像の転送」が選択されている場合にはステップＳＰ３１６に進み、「アルバム画像のバックアップ」が選択されている場合にはステップＳＰ３２３に進む。
【０２０４】
「撮影画像のみ転送」が選択されている場合には、デジタルカメラ１は、転送元のファイルである撮影ファイルが格納されているフォルダ「１００ＭＬＴ０９」を指定し（ステップＳＰ３１２）、そのフォルダ内の転送対象ファイル（撮影ファイル）を特定する（ステップＳＰ３１３）。そして、特定された撮影ファイルがコンピュータ２００内の撮影ファイル保存用のフォルダに転送され（ステップＳＰ３１４）、転送が完了した撮影ファイルはメモリカード９０内から削除される（ステップＳＰ３１５）。その後、処理が完了したことがステップＳＰ２０９（図２８）で判定されるまで、同様の処理が繰り返され、メモリカード９０内の撮影画像フォルダ「１００ＭＬＴ０９」内の全てのファイルがコンピュータ２００へと転送される。
【０２０５】
また、「撮影画像とアルバム画像の転送」が選択されている場合には、これらの２つの種類の画像ファイルのうち撮影ファイルの転送が既に終了したか否かが判定される（ステップＳＰ３１６）。未転送の撮影ファイルが撮影画像フォルダ「１００ＭＬＴ０９」内に残存している場合には、ステップＳＰ３１２〜ＳＰ３１５に進み、上述と同様の撮影ファイルの転送動作が実行される。一方、撮影画像フォルダ「１００ＭＬＴ０９」内の全てのファイルが既に転送済みの場合には、ステップＳＰ３１７に進み、今度はアルバムファイルの転送が既に終了したか否かが判定される。
【０２０６】
未転送のアルバムファイルがメモリカード９０のアルバムフォルダ（「ＡＬＢＵＭ」）内に残存している場合には、ステップＳＰ３１８〜ＳＰ３２１に進み、今度はアルバムファイルの転送動作が実行される。
【０２０７】
具体的には、転送元のファイルであるアルバムファイルが格納されたフォルダ「ＡＬＢＵＭ」を指定し（ステップＳＰ３１８）、そのフォルダ内の転送対象ファイル（アルバムファイル）を特定する（ステップＳＰ３１９）。そして、特定されたアルバムファイルがコンピュータ２００内のアルバムファイル保存用のフォルダに転送され（ステップＳＰ３２０）、転送が完了したアルバムファイルはメモリカード９０内から削除される（ステップＳＰ３２１）。その後、処理が完了したことがステップＳＰ２０９（図２８）で判定されるまで、同様の処理が繰り返され、メモリカード９０内のアルバムフォルダ「ＡＬＢＵＭ」内の全てのファイルがコンピュータ２００へと転送される。また、このステップＳＰ３１８〜ＳＰ３２１の転送処理においては、アルバムファイルだけでなく、アルバム情報ファイルも転送対象として指定されて（特定されて）転送される。
【０２０８】
その後、ステップＳＰ３１６，ＳＰ３１７において、撮影画像フォルダ「１００ＭＬＴ０９」内の全てのファイルが転送済みであり、且つ、アルバムフォルダ「ＡＬＢＵＭ」内の全てのファイルが転送済みであることが判定されると、ステップＳＰ３２２に進む。ステップＳＰ３２２では、転送対象のアルバムファイルのシリアル番号のうち最も大きな番号（最大シリアル番号）がデジタルカメラ１のＲＯＭ５０ｂ内に格納される。なお、このシリアル番号（昇順）は、複数のアルバムファイルを互いに識別するための番号（識別用番号）であるとも表現できる。
【０２０９】
以上のようにして、メモリカード９０内の撮影ファイルおよびアルバムファイルがコンピュータ２００へと転送される。
【０２１０】
また、「アルバム画像のバックアップ」が選択されている場合には、ステップＳＰ３１１からステップＳＰ３２３に進む。そして、バックアップ元のファイルであるアルバムファイルが格納されたフォルダ「ＡＬＢＵＭ」を指定し（ステップＳＰ３２３）、そのフォルダ内のコピー対象ファイル（アルバムファイル）を特定する（ステップＳＰ３２４）。そして、特定されたアルバムファイルがコンピュータ２００内のアルバムファイル保存用のフォルダにコピーされる（ステップＳＰ３２５）。なお、メモリカード９０内のアルバムファイルは、バックアップ動作が完了した後においても、メモリカード９０内から削除されることなく、そのまま維持される。また、このステップＳＰ３２３〜ＳＰ３２５の転送処理においては、アルバムファイルだけでなく、アルバム情報ファイルも転送対象として指定されて（特定されて）転送される。
【０２１１】
その後、バックアップ処理が完了したことがステップＳＰ２０９（図２８）で判定されるまで、同様の処理が繰り返され、メモリカード９０内のアルバムフォルダ「ＡＬＢＵＭ」内の全てのファイルがコンピュータ２００にコピーされる。
【０２１２】
以上のようにして、デジタルカメラ１をマスタ側機器とする、各種のファイル転送動作等が、デジタルカメラ１に内蔵されたプログラムの実行によって実現される。
【０２１３】
なお、上記においては、ＱＶボタン１１が押下されたことがステップＳＰ２０７，ＳＰ２１０において検出されると、複数のファイルの転送中においてファイル単位の転送が終了しさえすればその終了直後に、デジタルカメラ１の動作モードを撮影モードに変更することができる。したがって、シャッタチャンスを逃すことを回避できる。また、これに限定されず、微小時間周期で繰り返される割り込み処理によってＱＶボタン１１の押下を検出するようにしてもよい。そして、押下が検出されたときには、ファイル単位のファイル転送途中においても、デジタルカメラ１の動作モードを撮影モードに変更するようにしてもよい。これによれば、さらに即時に撮影モードにすることができる。
【０２１４】
次に、コンピュータ２００がマスタ側機器となる場合における、各種のファイル転送動作等について説明する。
【０２１５】
まず、このようなファイル転送時のデジタルカメラ１の動作について説明する。
【０２１６】
デジタルカメラ１（ＤＳＣ）がスレーブ側機器として機能するように設定される（図２７，ステップＳＰ２０４）と、デジタルカメラ１は、コンピュータ２００との接続状態であることを示す画面Ｇ２１１をＬＣＤ５に表示する（図２８，ステップＳＰ２１１）。そして、ステップＳＰ２１２においてＱＶボタン１１の押下が検出されるまで、そのままの状態を維持する。ＱＶボタン１１の押下が検出されると、デジタルカメラ１は、コンピュータ２００との接続状態を解除し（ステップＳＰ２１３）、その動作モードを撮影モードに変更する（ステップＳＰ２１４）。
【０２１７】
今度は、このようなファイル転送時のコンピュータ２００の動作について、図３０を参照しながら説明する。図３０は、コンピュータ２００で実行されるファイル転送プログラムの処理を示すフローチャートである。
【０２１８】
このファイル転送プログラムは、ステップＳＰ４０１において、コンピュータ２００は、デジタルカメラが接続されているか否かを検出する。デジタルカメラとの接続が検出されると、コンピュータ２００は、ファイルの転送元をそのデジタルカメラに設定する（ステップＳＰ４０３）。一方、デジタルカメラが接続されていないと判定されると、メモリカードドライブ２０４ｂ（図２６）にメモリカード２０９ｂが装着されているか否かがさらに判定される。メモリカード２０９ｂが装着されていると判定される場合には、コンピュータ２００は、ファイルの転送元をメモリカード２０９ｂに設定する（ステップＳＰ４０４）。なお、コンピュータ２００に対してデジタルカメラおよびメモリカードのいずれも接続されていない場合には、エラー表示が表示部２０５に出力され（ステップＳＰ４０５）、ステップＳＰ４０１に戻る。
【０２１９】
このように、コンピュータ２００は、デジタルカメラ１とコンピュータ２００とが接続された状態であるか否か、および、コンピュータ２００に内蔵（又は接続）されたメモリカードドライブ２０４ｂ（記録媒体読取装置）に対してメモリカードが装着された状態であるか否かを認識して、認識結果を得る。そして、その認識結果に応じて、転送元のメモリカードとして、デジタルカメラ１に装着されたメモリカード９０を指定するか、メモリカードドライブ２０４ｂに装着されたメモリカード２０９ｂを指定するかを切り替える。
【０２２０】
これによれば、コンピュータ２００に対する接続状況に応じて、転送元の記録媒体として、メモリカード９０とメモリカード２０９ｂとのいずれを指定するかを自動的に切り替えられることができるので、操作性が良い。
【０２２１】
このようにして、転送元が決定されると、ステップＳＰ４０６に進み、メニュー画面Ｇ７１（図３４）が表示部２０５に表示される。
【０２２２】
メニュー画面Ｇ７１は、４つの選択項目、すなわち、「撮影画像のみ転送」、「撮影画像とアルバム画像の転送」、「アルバム画像のバックアップ」、および「アルバム画像の復元」を有している。
【０２２３】
このうち、第１番目から第３番目の選択項目は、メニュー画面Ｇ６１における選択項目と同一の項目である。これらの選択項目を選ぶと、ファイル転送処理がコンピュータ２００によって主導的に行われる点を除いて、上述の処理と同様の処理が実現される。
【０２２４】
また、最後の選択項目「アルバム画像の復元」は、このメニュー画面Ｇ７１に特有の項目である。「アルバム画像の復元」は、コピーないし移動による転送動作によってコンピュータ２００に格納されているアルバムファイル（アルバム画像を含む）を、転送元と同一のメモリカード、あるいは、転送元とは異なるメモリカードにコピーして、アルバムファイルのファイル構成を再転送先のメモリカードにおいて復元する転送指示コマンドである。
【０２２５】
メニュー画面Ｇ７１は、このような４つの項目を有している。また、画面には、転送元のフォルダと転送先のフォルダとが表示されている。初期状態においては、自動認識によって決定されたものが、これらのフォルダとして表示される。また、第４番目の選択項目が選択された場合には、第１〜３番目の選択項目が選択された場合と比較して、転送先と転送元とが互いに逆転して表示される。なお、ボタンＢＮ３，ＢＮ４を押下することによれば、ファイルの転送先および転送元を手動操作によって変更することも可能である。
【０２２６】
その後、操作者によるマウス２０６ｂ操作などによって、これら４つの項目の左側のラジオボタンの選択によっていずれかの項目が選択され、さらに転送開始ボタンＢＮ１が押下されたと判定される（ステップＳＰ４０１）と、この転送開始ボタンＢＮ１の押下に応答して、被選択項目に対応する処理（ステップＳＰ４０９）が開始される。言い換えれば、転送開始ボタンＢＮ１の押下によって、転送指示が操作者からコンピュータ２００に対して与えられると、コンピュータ２００は、この指示に応答して、被選択項目に対応する処理を開始する。なお、終了ボタンＢＮ２が押下されたと判定される（ステップＳＰ４０７）と、この終了ボタンＢＮ２の押下に応答して、ソフトウエアの処理が終了する。
【０２２７】
ステップＳＰ４０９においては、１つのファイルに対する転送動作等が実行される。そして、１つのファイルに対する転送動作が終了すると、全てのファイルに対する処理が終了したか否かが判定される（図３０、ステップＳＰ４１０）。未処理のファイルが残っている場合には、再びステップＳＰ４０９に戻り、被選択項目に応じた処理がさらに実行される。一方、全ての処理が終了したと判定されると、再びステップＳＰ４０１に戻る。
【０２２８】
つぎに、ステップＳＰ４０９について図３１を参照しながら説明する。図３１は、ステップＳＰ４０９の詳細動作を示す図である。
【０２２９】
まず、ステップＳＰ４１１において、いずれの選択項目が選択されているのかが判定される。「撮影画像のみ転送」が選択されている場合にはステップＳＰ４１２に進み、「撮影画像とアルバム画像の転送」が選択されている場合にはステップＳＰ４１６に進み、「アルバム画像のバックアップ」が選択されている場合にはステップＳＰ４２３に進み、「アルバム画像の復元」が選択されている場合にはステップＳＰ４２６に進む。
【０２３０】
このうち、「撮影画像のみ転送」、「撮影画像とアルバム画像の転送」、および「アルバム画像のバックアップ」のいずれかが選択されているときには、図２９における処理と同様の処理が行われる。図３１および図２９においては、ステップ番号の下二桁が同一のステップは、同様の処理を表している。ただし、図３１においては、その制御動作の主体が、デジタルカメラ１ではなくコンピュータ２００である点で図２９の場合と相違する。また、図３１のステップＳＰ４２２は、次の点で図２９のステップＳＰ３２２と相違する。具体的には、ステップＳＰ４２２においては、コンピュータ２００が最大シリアル番号を取得し、一旦コンピュータ２００の記憶部２０３内（ＲＡＭあるいはハードディスク）に格納した後、その最大シリアル番号をデジタルカメラ１に通知する。そして、その通知を受信したデジタルカメラ１はその最大シリアル番号をデジタルカメラ１のＲＯＭ５０ｂに格納することになる。なお、ステップＳＰ４２２の通知は、デジタルカメラ１のＲＯＭ５０ｂ内に最大シリアル番号を格納させるためのものであるとも表現できる。
【０２３１】
また、「アルバム画像の復元」が選択されている場合にはステップＳＰ４２６に進む。ステップＳＰ４２６においては、図３２に示すような処理が行われる。
【０２３２】
具体的には、まず、再転送先（復元先）として指定されたメモリカード内にアルバムフォルダ「ＡＬＢＵＭ」が存在するか否かを判定する（ステップＳＰ４３１）。そして、アルバムフォルダが存在しない場合には、再転送先のメモリカード内にアルバムフォルダ「ＡＬＢＵＭ」を作成する（ステップＳＰ４３２）。
【０２３３】
その後、ステップＳＰ４３３において、コンピュータ２００のアルバムフォルダ内のアルバムファイルをメモリカード９０のアルバムフォルダ内にコピーする。この処理（ステップＳＰ４３３）は、ステップＳＰ４３４において、全てのファイルのコピーが完了したと判定されるまで繰り返される。
【０２３４】
このようにして、アルバムファイルのバックアップ処理が行われる。
【０２３５】
以上のようにして、コンピュータ２００をマスタ側機器とする、各種のファイル転送動作等が、コンピュータ２００でファイル転送プログラムを実行することによって実現される。
【０２３６】
図３５は、コンピュータ２００内のハードディスク内のファイル構成を示す図である。具体的には、上記の転送動作によって、撮影ファイルおよびアルバムファイルがメモリカード９０からコンピュータ２００へと転送された後の状態を想定している。なお、デジタルカメラ１およびコンピュータ２００のいずれをマスター側機器に設定しても同一の結果を得ることができる。
【０２３７】
たとえば、図４に示す複数の撮影ファイルのうち、メモリカード９０内の撮影画像フォルダ内に全部で３つの撮影画像ファイル「Ｐｉｃｔ０００５．ｊｐｇ」，「Ｐｉｃｔ０００６ｊｐｇ」，「Ｐｉｃｔ０００７．ｊｐｇ」が格納されていた状態を想定する。この状態において、「撮影画像のみ転送」の転送指示が行われると、図３５のように、これら３つの撮影画像ファイル「Ｐｉｃｔ０００５．ｊｐｇ」，「Ｐｉｃｔ０００６ｊｐｇ」，「Ｐｉｃｔ０００７．ｊｐｇ」が、コンピュータ２００内に転送（移動）される。このとき、フォルダ構造もそのまま移動される。より詳細には、各撮影画像ファイルは、フォルダ「ＤＣＩＭ」の下のフォルダ（撮影ファイル保存用のフォルダ）「１００ＭＬＴ０９」内に格納される。また、各転送時におけるフォルダ「ＤＣＩＭ」は、その転送順序を示す順序数がその名称として付与されたフォルダ（たとえば、「０００００００１」，「０００００００２」）の下に作成されている。これにより、１回目の転送による転送ファイルと２回目の転送による転送ファイルとは、コンピュータ２００内において異なるフォルダに格納されることになるため、上書きされるおそれがない。
【０２３８】
また、図４の複数のアルバムフォルダのうち、メモリカード９０内のアルバムフォルダ内に全部で２つのアルバムファイル「Ａｌｂｍ０００１．ｊｐｇ」，「Ａｌｂｍ０００２．ｊｐｇ」が格納されていた状態を想定する。この状態において、「撮影画像とアルバム画像の転送」あるいは「アルバム画像のバックアップ」の転送指示が行われると、図３５のように、これら２つのアルバムファイル「Ａｌｂｍ０００１．ｊｐｇ」，「Ａｌｂｍ０００２．ｊｐｇ」がコンピュータ２００内に転送（移動あるいはコピー）される。このとき、アルバムファイルは、原則として、コンピュータ２００内の予め定められたアルバムフォルダ（アルバムファイル保存用のフォルダ）の下に作成される。アルバム画像は、分散させることなくまとめて保管しておくことが望ましいという事情があるからである。なお、この時点では、ファイル「Ａｌｂｍ０００３．ｊｐｇ」および「Ａｌｂｕｍ００２．ｉｎｆ」は未だ転送されておらず、コンピュータ２００内に存在しない。
【０２３９】
さらに、この転送時においては、デジタルカメラ１自身あるいはコンピュータ２００の制御動作によって、「２」が最大シリアル番号としてＲＯＭ５０ｂに格納される。そして、デジタルカメラ１は、転送動作後に初めてアルバムファイルを作成するときには、この転送時の最大シリアル番号よりも大きな番号（たとえば、最大シリアル番号に１を加えた番号）を、新たに作成されるアルバムファイルのシリアル番号として決定する。たとえば、デジタルカメラ１において次に作成されるアルバムファイルのファイル名には、最大シリアル番号「２」に１を加えた、シリアル番号「３」が付与される。すなわち、アルバムファイル「Ａｌｂｍ０００３．ｊｐｇ」が作成される。
【０２４０】
仮に、次に作成されるアルバムファイルのシリアル番号がリセットされて再び「１」に戻るものとすると、再作成されたアルバムファイルには再び「Ａｌｂｍ０００１．ｊｐｇ」の名称が付され、最初に作成されたアルバムファイルと区別が付かない。そのため、次の転送動作において、コンピュータ２００内の同じアルバムフォルダに対してそのファイルを転送すると、コンピュータ２００内のアルバムファイル「Ａｌｂｍ０００１．ｊｐｇ」を上書きしてしまう。すなわち、最初に作成されたアルバムファイル（旧来のアルバムファイル）が消失してしまうことになる。
【０２４１】
これに対して、上記の実施形態によれば、異なるアルバムファイルに対して、少なくともシリアル番号が異なるファイル名が付されるため、異なるアルバムファイルに対して同一のファイル名が付与されることを防止できる。したがって、アルバムファイルがファイル転送時の上書きによって消失してしまうことを回避できるのである。
【０２４２】
また、各転送時点においてアルバムファイルとともに転送されるアルバム情報ファイルは、転送時ごとに異なる名称が付されて、コンピュータ２００のアルバムフォルダ内に格納される。具体的には、１回目の転送時のアルバム情報ファイルは、「Ａｌｂｕｍ．ｉｎｆ」から「Ａｌｂｕｍ００１．ｉｎｆ」にその名称が変更されてコンピュータ２００のアルバムフォルダに格納される。また、２回目の転送時のアルバム情報ファイルは、「Ａｌｂｕｍ．ｉｎｆ」から「Ａｌｂｕｍ００２．ｉｎｆ」にその名称が変更されてコンピュータ２００のアルバムフォルダに格納される。なお、２回目の転送時には、アルバムファイル「Ａｌｂｍ０００３．ｊｐｇ」もコンピュータ２００のアルバムフォルダに格納されるものとし、アルバム情報ファイル「Ａｌｂｕｍ００２．ｉｎｆ」は、アルバムファイル「Ａｌｂｍ０００３．ｊｐｇ」に関する情報を有している。
【０２４３】
このように、アルバム情報ファイルは、転送先フォルダ内のファイルのファイル名と重複しないようにそのアルバム情報ファイルのファイル名を変更した上で、転送元のメモリカード９０から転送先のコンピュータ２００へと転送される。これにより、アルバム情報ファイルをコンピュータ２００内の同じアルバムフォルダに格納するときにおいても、アルバム情報ファイルを上書きしてしまうことを防止できる。すなわち、アルバム情報ファイルの消失を回避できる。
【０２４４】
また、アルバムファイル復元時においては、複数のアルバム情報ファイル（「Ａｌｂｕｍ００１．ｉｎｆ」，「Ａｌｂｕｍ００２．ｉｎｆ」）の情報を用いて復元対象のアルバムファイルの情報を再構築することができる。たとえば、「Ａｌｂｕｍ００１．ｉｎｆ」に含まれる１回目の転送対象ファイル（「Ａｌｂｍ０００１．ｊｐｇ」，「Ａｌｂｍ０００２．ｊｐｇ」）の情報と、「Ａｌｂｕｍ００２．ｉｎｆ」に含まれる２回目の転送対象ファイル（「Ａｌｂｍ０００３．ｊｐｇ」）の情報とを用いてアルバム情報を再構築し、再構築された新たなアルバム情報ファイルに名称「Ａｌｂｕｍ．ｉｎｆ」を付して新たなメモリカードに格納すればよい。
【０２４５】
また、上記の実施形態においては、デジタルカメラ１またはコンピュータ２００の制御下において、「撮影画像のみ転送」の転送指示が付与されることによって、アルバムファイルをメモリカード９０に確実に残したまま撮影ファイルをコンピュータ２００などへと移動することができる。そのため、誤操作によってアルバムファイルをデジタルカメラ１から削除してしまう可能性を低減することができる。
【０２４６】
さらに、デジタルカメラ１またはコンピュータ２００の制御下において、「撮影画像とアルバム画像の転送」の転送指示が付与されることによって、アルバムファイルをメモリカード９０からコンピュータ２００などへと移動することができる。そのため、メモリカード９０内の空き容量を確保できる。
【０２４７】
また、デジタルカメラ１またはコンピュータ２００の制御下において、「アルバム画像のバックアップ」の転送指示が付与されることによって、アルバムファイルをコンピュータ２００などにバックアップすることができる。
【０２４８】
さらに、コンピュータ２００の制御下において、「アルバム画像の復元」の転送指示が付与されることによって、メモリカード９０からコンピュータ２００へと一旦転送（移動ないしコピー）されコンピュータ２００に格納されていたアルバムファイルを再転送先のメモリカードに転送することができる。したがって、アルバムファイルを再転送先のメモリカードに容易に復元することができる。
【０２４９】
また、再転送先のメモリカードとして、デジタルカメラ１に対して着脱可能な着脱式のメモリカードを用いれば、アルバムファイルを着脱式のメモリカードに復元できる。したがって、再転送先のメモリカードを装着可能な任意のデジタルカメラにおいて、アルバムファイルを再生することが可能になる。言い換えれば、複数のデジタルカメラでアルバムファイルを再生することが可能になる。
【０２５０】
さらに、この転送指示を用いて、転送元のメモリカード９０とは異なるメモリカード（たとえば新しいメモリカード）に再転送することによれば、その異なるメモリカードにおいて、転送元のメモリカードと同様のアルバムファイルのファイル構成を容易に復元することが可能になる。
【０２５１】
また特に、上記の転送時において、「撮影画像のみ転送」、「撮影画像とアルバム画像の転送」、「アルバム画像のバックアップ」、および「アルバム画像の復元」の各転送指示は、メニュー画面Ｇ６１，７１内において対応項目を選択する選択操作によって受け付けられるので、操作が非常に容易である。
【０２５２】
＜変形例など＞
以上、この発明の実施の形態について説明したが、この発明は上記説明した内容のものに限定されるものではない。
【０２５３】
たとえば、上記実施形態においては、アルバム画像はメモリカード９０内に格納される場合を例示したが、これに限定されず、デジタルカメラの内蔵メモリに格納するようにしてもよい。
【０２５４】
また、上記実施形態においては、ファイル記憶装置として、コンピュータ２００（より詳細にはコンピュータ２００内のハードディスク）を例示したが、これに限定されない。たとえば、ファイル記憶装置としては、コンピュータ２００にネットワーク接続された別のコンピュータ内のハードディスクなどであってもよい。
【０２５５】
なお、上述した具体的実施形態には以下の構成を有する発明が含まれている。
【０２５６】
（１）請求項１に記載のプログラムにおいて、前記コンピュータに、
転送対象のアルバムファイルの情報を記述したアルバム情報ファイルを、転送先フォルダ内のファイルのファイル名と重複しないように前記アルバム情報ファイルのファイル名を変更した上で、転送元の前記記録媒体から転送先の前記ファイル記憶装置へと転送する手順、
をさらに実行させるためのプログラム。
【０２５７】
これによれば、アルバム情報ファイルがファイル転送時の上書きによって消失してしまうことを回避できる。
【０２５８】
（２）請求項２に記載のプログラムにおいて、前記コンピュータに、
前記記録媒体内に格納されているアルバムファイルを前記記録媒体から前記ファイル記憶装置へと移動する第２の転送指示を受け付ける手順と、
前記第２の転送指示に応答して、前記記録媒体内に格納されているアルバムファイルを前記ファイル記憶装置へと移動する手順と、
をさらに実行させるためのプログラム。
【０２５９】
これによれば、アルバムファイルをファイル記憶装置へと移動して、記録媒体の空き容量を確保することができる。
【０２６０】
（３）請求項２に記載のプログラムにおいて、前記コンピュータに、
前記記録媒体から前記ファイル記憶装置へと一旦転送され前記ファイル記憶装置に格納されているアルバムファイルを、再転送先の記録媒体に転送する第３の転送指示を受け付ける手順と、
前記第３の転送指示に応答して、前記ファイル記録装置に格納されているアルバムファイルを前記再転送先の記録媒体へと転送する手順と、
をさらに実行させるためのプログラム。
【０２６１】
これによれば、アルバムファイルを再転送先の記録媒体に容易に復元することができる。
【０２６２】
（４）前記（３）に記載のプログラムにおいて、
前記再転送先の記録媒体は、前記転送元の記録媒体と異なる記録媒体であることを特徴とするプログラム。
【０２６３】
これによれば、異なる記録媒体（たとえば新しい記録媒体）において、転送元の記録媒体と同様のアルバムファイルのファイル構成を容易に復元することが可能になる。
【０２６４】
（５）前記（３）に記載のプログラムにおいて、
前記再転送先の記録媒体は、前記デジタルカメラに対して着脱可能な着脱式の記録媒体であることを特徴とするプログラム。
【０２６５】
これによれば、アルバムファイルを着脱式の記録媒体に復元できるので、当該着脱式の記録媒体を装着可能な任意のデジタルカメラにおいて、アルバムファイルを再生することが可能になる。言い換えれば、複数のデジタルカメラでアルバムファイルを再生することが可能になる。
【０２６６】
（６）請求項２に記載のプログラムにおいて、前記コンピュータに、
前記デジタルカメラが当該コンピュータに接続された状態であるか否か、および、当該コンピュータに内蔵又は接続された記録媒体読取装置に対して前記記録媒体が装着された状態であるか否かを認識して、認識結果を得る手順と、
前記認識結果に応じて、前記転送元の記録媒体として、前記デジタルカメラに内蔵又は装着された記録媒体を指定するか、前記記録媒体読取装置に装着された記録媒体を指定するかを切り替える手順と、
をさらに実行させるためのプログラム。
【０２６７】
これによれば、コンピュータに対する接続状況に応じて、転送元の記録媒体として、デジタルカメラに内蔵又は装着された記録媒体と記録媒体読み取り装置に装着された記録媒体とのいずれを指定するかを切り替えられるので、操作性が良い。
【０２６８】
（７）請求項３に記載のデジタルカメラにおいて、
転送対象のアルバムファイルの情報を記述したアルバム情報ファイルを、転送先フォルダ内のファイルのファイル名と重複しないように前記アルバム情報ファイルのファイル名を変更した上で、転送元の前記記録媒体から転送先の前記ファイル記憶装置へと転送する手段、
を備えることを特徴とするデジタルカメラ。
【０２６９】
これによれば、アルバム情報ファイルがファイル転送時の上書きによって消失してしまうことを回避できる。
【０２７０】
（８）請求項４に記載のデジタルカメラにおいて、
前記記録媒体内に格納されているアルバムファイルを前記記録媒体から前記ファイル記憶装置へと移動する第２の転送指示を受け付ける手段と、
前記第２の転送指示に応答して、前記記録媒体内に格納されているアルバムファイルを前記ファイル記憶装置へと移動する手段と、
をさらに備えることを特徴とするデジタルカメラ。
【０２７１】
これによれば、アルバムファイルをファイル記憶装置へと移動して、記録媒体の空き容量を確保することができる。
【０２７２】
（９）請求項４に記載のデジタルカメラにおいて、
ファイル転送中においても、撮影モードへの動作モードの変更を受け付ける手段、
をさらに備えることを特徴とするデジタルカメラ。
【０２７３】
これによれば、ファイル転送中においても、撮影モードへと変更できるので、シャッタチャンスを逃すことを回避できる。
【０２７４】
（１０）請求項４に記載のデジタルカメラにおいて、
前記デジタルカメラがコンピュータに接続されていることが検出された場合に、前記デジタルカメラの動作モードをファイル転送モードに変更する手段、
をさらに備えることを特徴とするデジタルカメラ。
【０２７５】
これによれば、ファイル転送モードへと自動的に切り替わるので、操作が容易である。
【０２７６】
（１１）前記（１０）に記載のデジタルカメラにおいて、
前記デジタルカメラが前記コンピュータに接続されていることが検出され、且つ、前記コンピュータにおいて所定のファイル転送プログラムが実行中でないことが検出されたときには、前記第１の転送指示を受け付けるためのメニュー画面を前記デジタルカメラの表示手段に表示することを特徴とするデジタルカメラ。
【０２７７】
これによれば、コンピュータにおいて所定のファイル転送プログラムが実行中でないことが検出されたときには、第１の転送指示を受け付けるためのメニュー画面がデジタルカメラの表示手段に表示される。すなわち、デジタルカメラを用いて転送操作を行えばよい旨が明示されるので、操作者の混乱を防止できる。
【０２７８】
【発明の効果】
以上のように、請求項１に記載の発明によれば、デジタルカメラの記録媒体内に格納されているアルバムファイルの最大シリアル番号がそのデジタルカメラに通知される。したがって、そのデジタルカメラにおいて、異なるアルバムファイルに対して同一のファイル名が付与されることを防止できるので、アルバムファイルがファイル転送時の上書きによって消失してしまうことを回避できる。
【０２７９】
請求項２、請求項４、および請求項５に記載の発明によれば、アルバムファイルを記録媒体に確実に残したままデータファイルをファイル記憶装置へと移動することができるので、誤操作によってアルバムファイルをデジタルカメラから削除してしまうことを防止できる。
【０２８０】
請求項３に記載の発明によれば、デジタルカメラの記録媒体内に格納されているアルバムファイルの最大シリアル番号がそのデジタルカメラに格納され、転送後に新たに作成されるアルバムファイルに対して、その最大シリアル番号よりも大きなシリアル番号が付与される。したがって、そのデジタルカメラにおいて、異なるアルバムファイルに対して同一のファイル名が付与されることを防止できるので、アルバムファイルがファイル転送時の上書きによって消失してしまうことを回避できる。
【図面の簡単な説明】
【図１】デジタルカメラ１を正面側からみた概略斜視図である。
【図２】デジタルカメラ１を背面側からみた概略斜視図である。
【図３】デジタルカメラ１の内部構成を示す図である。
【図４】メモリカード９０内のフォルダ構成を示す図である。
【図５】各画像ファイルの構成を概念的に示す図である。
【図６】アルバム情報ファイルの内容を示す図である。
【図７】デジタルカメラ１における状態遷移図である。
【図８】撮影メニュー画面を示す図である。
【図９】再生メニュー画面を示す図である。
【図１０】アルバム再生メニュー画面を示す図である。
【図１１】再生モードにおける状態遷移を示す図である。
【図１２】アルバム登録動作の全体の流れを示すフローチャートである。
【図１３】図１２の一部の流れを示すフローチャートである。
【図１４】アルバム登録済みマークＭＫ１が付された再生画像を示す図である。
【図１５】変形例に係る再生メニュー画面を示す図である。
【図１６】メモリカード９０内の撮影画像フォルダ内に格納されたファイル群の一例を示す図である。
【図１７】「アフターレコーディング」動作における状態遷移を示す図である。
【図１８】各種ファイルの再生時の画面を示す図である。
【図１９】アルバム作成処理を示すフローチャートである。
【図２０】アルバム作成処理を示すフローチャートである。
【図２１】アフレコファイルをアルバム登録した後のアルバム情報ファイルの内容を示す図である。
【図２２】ボイスレコーディングファイルをアルバム登録した後のアルバム情報ファイルの内容を示す図である。
【図２３】動画像ファイルのアルバム登録に関する設定を行うためのメニュー画面を示す図である。
【図２４】動画像ファイルの先頭フレームをアルバム登録した後のアルバム情報ファイルの内容を示す図である。
【図２５】動画像ファイル全体をアルバム登録した後のアルバム情報ファイルの内容を示す図である。
【図２６】ファイル転送システム３００を示す図である。
【図２７】ファイル転送動作を示すフローチャートである。
【図２８】デジタルカメラ１の動作を示すフローチャートである。
【図２９】デジタルカメラ１の詳細動作を示すフローチャートである。
【図３０】コンピュータ２００の動作を示すフローチャートである。
【図３１】コンピュータ２００の詳細動作を示すフローチャートである。
【図３２】復元動作におけるコンピュータ２００の詳細動作を示すフローチャートである。
【図３３】デジタルカメラ１のメニュー画面Ｇ６１を示す図である。
【図３４】コンピュータ２００のメニュー画面Ｇ７１を示す図である。
【図３５】コンピュータ２００内のハードディスク内のファイル構成を示す図である。
【符号の説明】
１  デジタルカメラ
２  撮影レンズ
３  電源ボタン
４  光学ファインダー
５  ＬＣＤ
６  フラッシュ
７ａ〜７ｄ  十字カーソルボタン（キー）
８ａ  実行ボタン
８ｂ  メニューボタン
８ｃ  フラッシュモードボタン
８ｄ  液晶モニターボタン
９  シャッタボタン
１１  ＱＶボタン
１２  マイク
１３  スピーカ
【図１】
2004254176.tif 000003
【図２】
2004254176.tif 000004
【図３】
2004254176.tif 000005
【図４】
2004254176.tif 000006
【図５】
2004254176.tif 000007
【図６】
2004254176.tif 000008
【図７】
2004254176.tif 000009
【図８】
2004254176.tif 000010
【図９】
2004254176.tif 000011
【図１０】
2004254176.tif 000012
【図１１】
2004254176.tif 000013
【図１２】
2004254176.tif 000014
【図１３】
2004254176.tif 000015
【図１４】
2004254176.tif 000016
【図１５】
2004254176.tif 000017
【図１６】
2004254176.tif 000018
【図１７】
2004254176.tif 000019
【図１８】
2004254176.tif 000020
【図１９】
2004254176.tif 000021
【図２０】
2004254176.tif 000022
【図２１】
2004254176.tif 000023
【図２２】
2004254176.tif 000024
【図２３】
2004254176.tif 000025
【図２４】
2004254176.tif 000026
【図２５】
2004254176.tif 000027
【図２６】
2004254176.tif 000028
【図２７】
2004254176.tif 000029
【図２８】
2004254176.tif 000030
【図２９】
2004254176.tif 000031
【図３０】
2004254176.tif 000032
【図３１】
2004254176.tif 000033
【図３２】
2004254176.tif 000034
【図３３】
2004254176.tif 000035
【図３４】
2004254176.tif 000036
【図３５】
2004254176.tif 000037